(57)【特許請求の範囲】
【請求項１】
入力操作用のノブを載置可能で、前記ノブ又は他の操作オブジェクトによりタッチ操作が行われるタッチパネルと、
前記タッチパネルに対するタッチ操作を、互いに異なる第１の検出方式及び第２の検出方式で検出するタッチ検出部と、
前記第１の検出方式での検出の結果に基づき、前記ノブによりタッチ操作が行われた位置をノブタッチ点として特定して、該ノブタッチ点に関するタッチ情報を出力するノブタッチ点判定部と、
前記タッチ情報と、前記第２の検出方式での検出の結果とに基づき、前記ノブに指が接触しているか否かを判定するノブ指接触判定部と
を有し、
前記第１の検出方式での検出において、予め定められた条件を満たす静電容量の変化があった１以上の反応点から成り、予め定められた条件を満たすタッチ点を前記ノブタッチ点であると判定する
ことを特徴とするタッチパネル入力装置。
【請求項２】
前記タッチパネルは、第１の方向の異なる位置において、前記第１の方向に直交する第２の方向に延在する第１群の電極と、前記第２の方向の異なる位置において、前記第１の方向に延在する第２群の電極とを有する
ことを特徴とする請求項１に記載のタッチパネル入力装置。
【請求項３】
前記タッチ検出部は、
前記第１の検出方式での検出において、前記第１群の電極と前記第２群の電極との交点の各々における静電容量の変化量に応じた検出値を取得し、
前記第２の検出方式での検出において、前記第１群の電極及び前記第２群の電極の各々における静電容量の変化量に応じた検出値を取得する
ことを特徴とする請求項２に記載のタッチパネル入力装置。
【請求項４】
前記ノブが２以上の導電性の操作部材を備え、
前記ノブタッチ点判定部は、前記ノブによりタッチ操作が行われた位置として、前記操作部材が前記タッチパネルに接触又は接近した位置を検出する
ことを特徴とする請求項１から３のいずれか１項に記載のタッチパネル入力装置。
【請求項５】
前記タッチ検出部は、
前記第１の検出方式での検出において、前記タッチパネルに対する、導体の接触又は接近による静電容量の変化を検知し、
前記第２の検出方式での検出において、前記タッチパネルに対する、接地されている導体の接触又は接近による静電容量の変化を検知する
ことを特徴とする請求項４に記載のタッチパネル入力装置。
【請求項６】
前記導体には、前記操作部材が含まれ、
接地されている導体には、人の指が接触している前記ノブの前記操作部材が含まれる
ことを特徴とする請求項５に記載のタッチパネル入力装置。
【請求項７】
前記タッチ検出部は、前記第１の検出方式での検出において、閾値以上の静電容量の変化が検出された交点を前記反応点として検出し、相連続する１以上の反応点から成る領域を前記タッチ点として検出し、
前記ノブタッチ点判定部は、前記タッチ点のうち、前記予め定められた条件を満たすタッチ点を前記ノブタッチ点であると判定する
ことを特徴とする請求項３に記載のタッチパネル入力装置。
【請求項８】
前記ノブタッチ点判定部により前記ノブタッチ点と異なる位置に１又は２以上の反応点がある場合には、前記ノブ指接触判定部は、前記ノブタッチ点とは異なる位置の反応点の位置に応じて、前記ノブに指が接触しているか否かの判定の方法を変える
ことを特徴とする請求項７に記載のタッチパネル入力装置。
【請求項９】
前記ノブ指接触判定部は、前記第２の検出方式での検出において、
前記第１群の電極のうち、前記ノブタッチ点と前記第１の方向の位置が同じである電極で取得された検出値を、前記ノブに指が接触しているか否かの判定に用い、
前記第２群の電極のうち、前記ノブタッチ点と前記第２の方向の位置が同じである電極で取得された検出値を、前記ノブに指が接触しているか否かの判定に用いる
ことを特徴とする請求項３、７又は８に記載のタッチパネル入力装置。
【請求項１０】
前記ノブタッチ点判定部により認定された前記ノブタッチ点とは異なる位置の１又は２以上の反応点が、前記ノブタッチ点に対し前記第１の方向に並んだ位置にある場合、前記ノブ指接触判定部は、前記第２の検出方式において、前記第１群の電極のうち、前記ノブタッチ点とは前記第１の方向の位置が異なる電極で取得された検出値を、前記ノブに指が接触しているか否かの判定に用いず、
前記ノブタッチ点判定部により認定された前記ノブタッチ点とは異なる位置の１又は２以上の反応点が、前記ノブタッチ点に対し前記第２の方向に並んだ位置にある場合、前記ノブ指接触判定部は、前記第２の検出方式において、前記第２群の電極のうち、前記ノブタッチ点とは前記第２の方向の位置が異なる電極で取得された検出値を、前記ノブに指が接触しているか否かの判定に用いない
ことを特徴とする請求項７、８又は９に記載のタッチパネル入力装置。
【請求項１１】
前記ノブタッチ点判定部により認定された前記ノブタッチ点は異なる位置の１又は２以上の反応点が、前記ノブタッチ点に対し前記第１の方向に並んだ位置、又は前記第２の方向に並んだ位置にある場合、前記ノブ指接触判定部は前記第１の検出方式による検出の結果に基づいて前記ノブに指が接触しているか否かの判定を行う
ことを特徴とする請求項７、８又は９に記載のタッチパネル入力装置。
【請求項１２】
前記ノブタッチ点判定部により認定された前記ノブタッチ点とは異なる位置の１又は２以上の反応点が、前記ノブタッチ点に対し前記第１の方向に並んだ位置、又は前記第２の方向に並んだ位置にある場合、前記ノブ指接触判定部による、前記ノブに指が接触しているか否かの判定の結果の出力、及び前記ノブタッチ点判定部による、前記ノブタッチ点に関するタッチ情報の出力の少なくとも一方を行わない
ことを特徴とする請求項７、８又は９に記載のタッチパネル入力装置。
【請求項１３】
前記ノブタッチ点判定部により認定された前記ノブタッチ点と異なる位置の反応点が、前記タッチパネルの端部にある場合、前記ノブ指接触判定部は、前記第２の検出方式での検出の結果の、時間の経過に伴う変化に基づいて前記ノブに指が接触しているか否かの判定を行う
ことを特徴とする請求項７、８又は９に記載のタッチパネル入力装置。
【請求項１４】
前記ノブタッチ点判定部による前記ノブタッチ点の特定ができず、或いは、前記ノブタッチ点判定部による前記ノブタッチ点の特定の結果の信頼度が低い場合、前記ノブ指接触判定部が、前記第２の検出方式での検出の結果に基づいて前記ノブに指が接触していると判定するまで、前記ノブタッチ点判定部は、前記タッチ情報を出力しない
ことを特徴とする請求項１３に記載のタッチパネル入力装置。
【請求項１５】
前記ノブ指接触判定部が前記ノブに指が接触していると判定したときに、前記ノブタッチ点判定部が特定した前記ノブタッチ点の位置を表す情報を記憶するメモリをさらに有し、
前記ノブタッチ点判定部が前記ノブタッチ点を特定することができない場合、前記ノブ指接触判定部は、前記メモリに記憶されている前記ノブタッチ点の位置を表す情報を用いて、前記ノブに指が接触しているか否かの判定を行なう
ことを特徴とする請求項１から１４のいずれか１項に記載のタッチパネル入力装置。
【請求項１６】
前記タッチ検出部は、前記第１の検出方式での検出における感度を、前記ノブ指接触判定部による判定の結果に基づき調整する
ことを特徴とする請求項１から１５のいずれか１項に記載のタッチパネル入力装置。
【請求項１７】
前記タッチ検出部は、前記第１の検出方式及び前記第２の検出方式とは異なる第３の検出方式で、前記タッチ操作を検出し、
前記ノブタッチ点判定部は、前記第３の検出方式での検出の結果をも用いて、前記ノブタッチ点の位置の特定を行う
ことを特徴とする請求項１から１４のいずれか１項に記載のタッチパネル入力装置。
【請求項１８】
前記ノブタッチ点判定部は、前記ノブ指接触判定部で、前記ノブに指が接触していないと判定されているときの前記第３の検出方式での検出の結果を、前記ノブタッチ点の位置の特定に利用する
ことを特徴とする請求項１７に記載のタッチパネル入力装置。
【請求項１９】
前記第１の検出方式での検出の結果に基づいて前記ノブの動きを判定する動き判定部と、
前記動き判定部で前記ノブが回転していると判定されているときの前記第３の検出方式での検出の結果を記憶するメモリとをさらに有し、
前記ノブ指接触判定部は、前記第３の検出方式での検出の結果が、前記メモリに記憶されている検出の結果と同一又は類似であるときに前記ノブが手で把持されていると判断する
ことを特徴とする請求項１７に記載のタッチパネル入力装置。
【請求項２０】
前記ノブタッチ点判定部は、前記第１の検出方式での検出の結果のみならず、前記第２の検出方式での検出の結果にも基づいて、前記ノブによりタッチ操作が行われた位置をノブタッチ点として特定して、該ノブタッチ点に関するタッチ情報を出力する
ことを特徴とする請求項１又は２に記載のタッチパネル入力装置。
【請求項２１】
前記ノブ指接触判定部は、前記タッチ情報及び前記第２の検出方式での検出の結果のみならず、前記第１の検出方式での検出の結果にも基づき、前記ノブに指が接触しているか否かを判定する
ことを特徴とする請求項２０に記載のタッチパネル入力装置。
【請求項２２】
前記第１の検出方式及び前記第２の検出方式を含む複数の検出方式のうちの２つ以上の検出方式を順に選択する検出方式選択部を更に有し、
前記タッチ検出部は、前記検出方式選択部で順に選択された検出方式で前記タッチパネルへの検出対象の接触又は接近を検出し、当該検出対象の特定及び当該検出対象の状態についての判定の少なくとも一方を行う
ことを特徴とする請求項１から２１のいずれか１項に記載のタッチパネル入力装置。
【請求項２３】
前記検出方式選択部は、前記複数の検出方式の各々での検出の結果の履歴から、前記タッチパネルに接触又は接近する可能性のある複数の検出対象のいずれをも検出し、判別することができる、２以上の検出方式の組み合わせを決定し、決定した組み合わせを構成する２以上の検出方式を順に選択する
ことを特徴とする請求項２２に記載のタッチパネル入力装置。
【請求項２４】
前記複数の検出対象が前記ノブを含み、
前記ノブタッチ点判定部及び前記ノブ指接触判定部で行われる判定の方法を機械学習により調整する評価部をさらに有する
ことを特徴とする請求項２３に記載のタッチパネル入力装置。
【請求項２５】
前記評価部は、
前記複数の検出方式での検出での検出の結果を入力値とし、
前記ノブタッチ点判定部でのノブタッチ点の位置の特定の結果、及び前記ノブ指接触判定部での前記ノブに指が接触しているか否かの判定の結果を出力値とし、
実際にタッチパネルに接触又は接近している検出対象が既知の場合の前記検出の結果及び前記判定の結果を教師信号として前記機械学習を行う
ことを特徴とする請求項２４に記載のタッチパネル入力装置。
【請求項２６】
入力操作用のノブを載置可能で、前記ノブ又は他の操作オブジェクトによりタッチ操作が行われるタッチパネルに対するタッチ操作を、互いに異なる第１の検出方式及び第２の検出方式で検出し、
前記第１の検出方式での検出の結果に基づき、前記ノブによりタッチ操作が行われた位置をノブタッチ点として特定して、該ノブタッチ点に関するタッチ情報を出力し、
前記タッチ情報と、前記第２の検出方式での検出の結果とに基づき、前記ノブに指が接触しているか否かを判定し、
前記第１の検出方式での検出において、予め定められた条件を満たす静電容量の変化があった１以上の反応点から成り、予め定められた条件を満たすタッチ点を前記ノブタッチ点であると判定する
ことを特徴とするタッチパネル入力方法。
【請求項２７】
請求項２６に記載のタッチパネル入力方法における処理をコンピュータに実行させるためのプログラム。
【発明の詳細な説明】
【技術分野】
【０００１】
本発明は、タッチパネル入力装置、タッチパネル入力方法、及びプログラムに関する。
【背景技術】
【０００２】
タッチパネル（タッチスクリーン）に対し指で入力操作を行うのみならず、タッチパネル上にダイヤル状の部材（ノブ）を配置し、該ノブをユーザが把持して回転又はスライドさせることで入力操作を行う装置（タッチパネル入力装置）が提案されている（特許文献１）。【０００３】
タッチパネルに対するノブ、指等による入力操作は、例えばタッチパネルの静電容量の変化に基づいて検出される。
【先行技術文献】
【特許文献】
【０００４】
【特許文献１】特開２０１３−１７８６７８号公報（段落００１３〜００２０、図１〜図３）
【非特許文献】
【０００５】
【非特許文献１】Ｓａｔｏ，  Ｍ．  ｅｔ  ａｌ．  ２０１２．  Ｔｏｕｃｈｉｅ：  ｅｎｈａｎｃｉｎｇ  ｔｏｕｃｈ  ｉｎｔｅｒａｃｔｉｏｎ  ｏｎ  ｈｕｍａｎｓ，  ｓｃｒｅｅｎｓ，  ｌｉｑｕｉｄｓ，  ａｎｄ  ｅｖｅｒｙｄａｙ  ｏｂｊｅｃｔｓ．  Ｐｒｏｃｅｅｄｉｎｇｓ  ｏｆ  ｔｈｅ  ＳＩＧＣＨＩ  Ｃｏｎｆｅｒｅｎｃｅ  ｏｎ  Ｈｕｍａｎ  Ｆａｃｔｏｒｓ  ｉｎ  Ｃｏｍｐｕｔｉｎｇ  Ｓｙｓｔｅｍｓ  （２０１２），  ４８３−４９２．
【発明の概要】
【発明が解決しようとする課題】
【０００６】
従来のタッチパネル入力装置では、タッチパネルに接触しているのが、ノブであるのかノブ以外のもの（例えば指）であるのかの判定、及びタッチパネルに接触しているノブに指が接触しているのか否かの判定を確実に行うことができないという問題があった。【０００７】
本発明は、タッチパネルに接触しているのが、ノブであるのかノブ以外のもの（例えば指であるのか）の判定、及びタッチパネルに接触しているノブに指が接触しているのか否かの判定を確実に行うことができるようにすることを目的とする。
【課題を解決するための手段】
【０００８】
本発明のタッチパネル入力装置は、
入力操作用のノブを載置可能で、前記ノブ又は他の操作オブジェクトによりタッチ操作が行われるタッチパネルと、
前記タッチパネルに対するタッチ操作を、互いに異なる第１の検出方式及び第２の検出方式で検出するタッチ検出部と、
前記第１の検出方式での検出の結果に基づき、前記ノブによりタッチ操作が行われた位置をノブタッチ点として特定して、該ノブタッチ点に関するタッチ情報を出力するノブタッチ点判定部と、
前記タッチ情報と、前記第２の検出方式での検出の結果とに基づき、前記ノブに指が接触しているか否かを判定するノブ指接触判定部と
を有し、
前記第１の検出方式での検出において、予め定められた条件を満たす静電容量の変化があった１以上の反応点から成り、予め定められた条件を満たすタッチ点を前記ノブタッチ点であると判定する
ことを特徴とする。
【発明の効果】
【０００９】
本発明によれば、タッチパネルに接触しているのが、ノブであるのかノブ以外のもの（例えば指であるのか）の判定、及びタッチパネルに接触しているノブに指が接触しているのか否かの判定を確実に行うことができる。
【図面の簡単な説明】
【００１０】
【図１】本発明の実施の形態１のタッチ入力装置を示す概略図である。
【図２】図１に示されるタッチ入力装置を備えたタッチ検出機能付き表示装置を示す概略図である。
【図３】図１に示されるタッチパネルの電極の形状の具体例を示す図である。
【図４】図２に示されるノブの一例の斜視図である。
【図５】（ａ）は、図４に示されるノブの、天板を除去した斜視図であり、（ｂ）は、図４のノブの、天板を除去した平面図である。
【図６】図５（ｂ）の鎖線ＶＩ−ＶＩに沿う断面図である。
【図７】（ａ）〜（ｄ）は、ノブでタッチ操作をしたときに発生する容量変化およびそれによる検出信号の変化を示す図である。
【図８】（ａ）〜（ｃ）は、相互容量方式での検出を説明するための等価回路図である。
【図９】（ａ）〜（ｃ）は、自己容量方式での検出を説明するための等価回路図である。
【図１０】（ａ）〜（ｒ）は、ノブ及びノブ以外の導体がタッチパネルに接触したときに検出される容量変化を示す図である。
【図１１】図１に示される操作入力処理部の構成例を示すブロック図である。
【図１２】図２に示される制御装置の、ノブによる入力操作に対応する処理の手順を示すフローチャートである。
【図１３】（ａ）及び（ｂ）は、相連続する複数の電極についての容量変化量に基づいて判定を行う方法を示す図である。
【図１４】（ａ）〜（ｏ）は、タッチパネルへの水の付着による静電容量の変化及びノブの検出への影響を示す図である。
【図１５】（ａ）及び（ｂ）は、検出方式の異なる例を示す図である。
【図１６】第１の検出部の変形例を示すブロック図である。
【図１７】（ａ）〜（ｄ）は、交点接地方式で検出をするときの印加電圧の切替え及びそれによる検出信号の変化を示す図である。
【図１８】（ａ）〜（ｃ）は、交点接地方式での検出を説明するための等価回路図である。
【図１９】本発明の実施の形態２のタッチ入力装置で用いられる操作入力処理部の構成例を示すブロック図である。
【図２０】実施の形態２のタッチ入力装置で用いられる操作入力処理部の変形例を示すブロック図である。
【図２１】本発明の実施の形態３のタッチ入力装置を示す概略図である。
【図２２】本発明の実施の形態４のタッチ入力装置を示す概略図である。
【図２３】図２２に示される操作入力処理部の構成例を示すブロック図である。
【図２４】実施の形態４で用いられるタッチパネルの電極の形状の具体例を示す。
【図２５】（ａ）及び（ｂ）は、図２４に示される電極に電圧を印加したときにその周囲に発生する電界を示す図である。
【図２６】本発明の実施の形態５のタッチ入力装置を示す概略図である。
【図２７】図２６に示される操作入力処理部の構成例を示すブロック図である。
【図２８】図２７に示される第３の検出部で得られる検出信号の周波数特性の例を示す図である。
【図２９】本発明の実施の形態６のタッチ入力装置を示す概略図である。
【図３０】図２９に示される操作入力処理部の構成例を示すブロック図である。
【図３１】図２９に示される操作入力処理部における処理の手順を示すフローチャートである。
【図３２】図３０に示されるメモリに記憶されている、検出対象毎の特徴を示すデータの一例を示す図である。
【図３３】図３０に示されるメモリに記憶されている、検出対象毎の検出方式、最適検出方式等を示すデータの一例を示す図である。
【図３４】制御装置を構成するコンピュータの構成例を示す図である。
【発明を実施するための形態】
【００１１】
実施の形態１．
図１は、本発明の実施の形態１のタッチ入力装置１０を示し、図２は、図１に示されるタッチ入力装置１０を備えたタッチ検出機能付き表示装置１２を示す。
タッチ検出機能付き表示装置１２は操作入力機能と表示機能とを備えたものであり、タッチパネル１５と、表示器１７と、制御装置２０とを有する。
制御装置２０は、入力操作検出装置２２と、イベント処理部２４と、表示制御部２６とを有する。
タッチパネル１５と入力操作検出装置２２とで、タッチ入力装置１０が構成されている。
【００１２】
タッチパネル１５は、表示器１７の表示面１７ａ上に、表示面１７ａの少なくとも一部を覆うように設けられている。
表示器１７は例えば液晶表示器又はＥＬ（Ｅｌｅｃｔｒｏｌｕｍｉｎｅｓｃｅｎｃｅ）表示器により構成されている。表示器１７は、表示制御部２６により制御されて画像を表示する。タッチ入力装置１０を用いた入力操作の際には、表示器１７は、入力操作を支援するための画像を表示する。
【００１３】
タッチ入力装置１０は、入力操作用のノブ３０をタッチパネル１５上に載置して、ユーザがノブ３０を把持して回転、スライドさせることで入力操作を行うことを可能にするものである。
タッチ入力装置１０はまた、ノブ３０以外の操作オブジェクトによりタッチパネル１５に対して入力操作をすることを可能にする。ノブ３０以外の操作オブジェクトとしては、指、ペン等が用いられる。
【００１４】
入力操作検出装置２２は、タッチパネル１５に対する入力操作を検出する。入力操作にはタッチ操作が含まれる。
入力操作検出装置２２は、タッチパネル１５に対し操作オブジェクトによりタッチ操作が行われた位置を特定する。
【００１５】
タッチ操作は、操作オブジェクトをタッチパネル１５に接触又は接近させることで行われる。以下では、「接触」させる場合を想定して説明する。
また、以下では、入力操作検出装置２２は、ノブ３０に指が接触しているか否かの判定を行う場合について説明する。しかしながら、入力操作検出装置２２は、ノブ３０に対し指が接触及び接近の少なくとも一方を行っているか否かの判定を行うものであっても良い。
【００１６】
タッチパネル１５上の位置は、ＸＹ座標で表される。即ち、タッチパネル１５上の第１の方向をＸ方向とし、第１の方向に直交する第２の方向をＹ方向として、Ｘ方向の位置をＸ座標で、Ｙ方向の位置をＹ座標で表す。
【００１７】
図１に示されるように、タッチパネル１５は、表示器１７の表示面１７ａに沿って延在する第１群の電極５２及び第２群の電極５４を含む。図１では簡略化のため、第１群の電極５２の数及び第２群の電極５４の数がともに４であるものとしている。
第１群の電極５２は、第１の方向（Ｘ方向）の異なる位置において、第２の方向（Ｙ方向）に延在するものであり、Ｘ座標検出用電極、或いは単にＸ電極とも呼ばれる。
第２群の電極５４は、第２の方向（Ｙ方向）の異なる位置において、第１の方向（Ｘ方向）に延在するものであり、Ｙ座標検出用電極、或いは単にＹ電極とも呼ばれる。
【００１８】
入力操作検出装置２２は、タッチパネル１５への操作オブジェクトの接触による静電容量の変化量（容量変化量）をＸ軸及びＹ軸に投影することで、タッチパネル１５上の操作オブジェクトの接触位置、即ちタッチ位置の特定等を行う。
【００１９】
入力操作検出装置２２は、駆動部５６と操作入力処理部５８とを有する。
駆動部５６は、タッチパネル１５の電極５２、５４に駆動信号を印加する。上記駆動信号に応じて、タッチパネル１５の電極５２、５４からはタッチパネル１５の各位置或いは各部分における容量変化量に応じた検出信号が得られる。
【００２０】
操作入力処理部５８は、検出信号に基づいて、タッチパネル１５の各位置或いは各部分における容量変化量を検出し、検出結果に基づいて、タッチ位置の特定、タッチ操作が行われた操作オブジェクトの特定、該操作オブジェクトの状態等の特定等を行う。
【００２１】
容量変化量の検出は、２つの異なる方式、即ち第１の検出方式及び第２の検出方式で行われる。以下では、第１の検出方式が相互容量方式であり、第２の検出方式が自己容量方式であるものとする。
【００２２】
相互容量方式では、一方の電極、例えばＸ電極を送信電極、他方の電極、例えばＹ電極を受信電極として、Ｘ電極とＹ電極の交点（交差部分）における容量変化量を検出する。
【００２３】
例えば、駆動部５６は、第１群及び第２群のうちの一方の群、例えば第１群の電極（Ｘ電極）を順に選択し、選択した電極に駆動信号を印加し、操作入力処理部５８は、他方の群、例えば第２群の電極（Ｙ電極）に現れる検出信号と、選択されている一方の群の電極を特定する情報とから、タッチパネル１５の各位置（Ｘ電極とＹ電極との交点）における容量変化量を求める。
【００２４】
すべての交点についての容量変化量を２次元平面上に並べることで容量変化量の二次元プロファイルが形成される。
【００２５】
相互容量方式では、Ｘ電極とＹ電極との複数の交点における容量変化量を独立して検出することが可能であるので、同時に複数の位置で容量変化が起きた場合にもそれらの位置を一時的に特定することができる。
【００２６】
自己容量方式では、第１群及び第２群の電極（Ｘ電極及びＹ電極）を順に選択し、選択されている電極における容量変化量を検出する。
【００２７】
例えば、駆動部５６は、Ｘ電極及びＹ電極を順に選択し、選択した電極に駆動信号を印加し、操作入力処理部５８は、当該電極に現れる検出信号から当該電極における容量変化量を検出する。駆動部５６は、選択した電極に駆動信号を印加しているとき、上記選択した電極の周囲の電極の電位を上記選択した電極と同じ電位に保つための制御を行なう。この制御は例えば、選択した電極に印加するのと同じ駆動信号を、上記選択した電極の周囲の電極に印加することで行われる。
【００２８】
操作入力処理部５８は、電極毎の容量変化量を取得する。すべてのＸ電極について容量変化量からＸ方向の容量変化量の一次元プロファイルが得られ、すべてのＹ電極について容量変化量からＹ方向の容量変化量の一次元プロファイルが得られる。
【００２９】
自己容量方式では、各電極における容量変化が検出されると、当該電極の長手方向（延在方向）のいずれかの位置で容量変化が生じたと判断することができるものの、当該電極の長手方向のどの位置で容量変化が起きたのかを特定できるとは限らない。
【００３０】
容量変化がタッチパネル上の１箇所で起きた場合、複数のＸ電極における検出結果と複数のＹ電極における検出結果とを組み合わせることで、容量変化が起きた位置（Ｘ座標及びＹ座標）を一義的に特定することが可能である。
一方、容量変化がタッチパネル上の２箇所以上で同時に起きると、容量変化が起きた位置を一義的に特定することができない。
【００３１】
以下では、電極５２、５４の各々は、一定の幅を持つものであるものとして説明する。しかしながら、電極５２、５４の各々は、例えば図３に示すように、複数のパッドＰｘ、Ｐｙと、パッドＰｘ、Ｐｙを互いに連結する連結部Ｌｘ、Ｌｙとで構成されるものであっても良い。パッドＰｘ、Ｐｙは例えば幅が比較的大きく、連結部Ｌｘ、Ｌｙは、パッドＰｘ、Ｐｙよりも幅が小さいものであっても良い。パッドＰｘ、Ｐｙは例えば図示のように菱形であっても良い。
【００３２】
上方から見たとき、Ｘ電極５２のパッドＰｘとＹ電極５４のパッドＰｙとが互いに重ならないように配置され、Ｘ電極５２の連結部ＬｘとＹ電極５４の連結部Ｌｙとが互いに交差するように形成されていても良い。
【００３３】
ノブ３０は、タッチパネル１５上に載置され、回動自在に、且つスライド（移動）自在に設けられている。
【００３４】
ノブ３０の一例を図４、図５（ａ）及び（ｂ）、並びに図６を参照して説明する。
図４はタッチパネル１５上に載置されたノブ３０の斜視図である。図示のノブ３０は、ケース３１と、ケース３１の内部に配置された操作部材３２ａ、３２ｂ、３２ｃとを有する。
ケース３１は、例えば、円筒状の側壁部３５と、円環状の天板３６と、円環状の底板３７とを有する。
【００３５】
図５（ａ）は、図４のノブ３０の、天板３６を除去した斜視図であり、図５（ｂ）は、図４のノブ３０の、天板３６を除去した平面図であり、図６は、図５（ｂ）の鎖線ＶＩ−ＶＩに沿う断面図である。なお、図４、図５（ａ）及び（ｂ）では、側壁部３５、天板３６及び底板３７に厚さが無いものとして図示しているが、図６では、側壁部３５、天板３６及び底板３７に厚さがあるものとして図示している。
【００３６】
天板３６は、側壁部３５の上側の端部に取り付けられており、底板３７は、側壁部３５の下側の端部に取り付けられている。
【００３７】
ケース３１は、ユーザが把持するのに適した形状に形成されており、ケース３１は把持部を構成する。
ケース３１は絶縁材料で形成されている。
ケース３１の側壁部３５及び天板３６の少なくとも一部には導体の層乃至膜が形成されており、ユーザがケース３１を把持したとき１つ以上の指が該導体の層又は膜に触れるようになっている。
【００３８】
操作部材３２ａ、３２ｂ、３２ｃは、円柱状であり、天板３６及び底板３７に対して垂直な方向に延在するように設けられている。
操作部材３２ａ、３２ｂ、３２ｃは、ケース３１に固定されるとともに、ケース３１の上記導体に電気的に接続されている。
【００３９】
底板３７は、操作部材３２ａ、３２ｂ、３２ｃを貫通させる開口３７ｏを有し、操作部材３２ａ、３２ｂ、３２ｃは上記開口３７ｏを貫通して、ケース３１の下面に露出されている。
【００４０】
ノブ３０がタッチパネル１５上に載置されたとき、操作部材３２ａ、３２ｂ、３２ｃの下端がタッチパネル１５に接触する。
ユーザがノブ３０をタッチパネル１５に押し付けると、操作部材３２ａ、３２ｂ、３２ｃの下端がタッチパネル１５に押し付けられる。
【００４１】
操作部材３２ａ、３２ｂ、３２ｃの下端に弾性変形可能な部材が固着された構成であっても良い。該弾性変形可能な部材は導体であっても良く、絶縁体であっても良い。
いずれであっても、ユーザがノブ３０をタッチパネル１５に押し付ける際、押し付ける力を変えることで、操作部材とタッチパネルの電極とで形成される静電容量を変化させることができる。
【００４２】
また、底板３７が開口を持たず、操作部材３２ａ、３２ｂ、３２ｃの下端が底板３７によってタッチパネル１５から隔てられる構成であっても良い。その場合底板３７は薄く形成され、底板３７の下面がタッチパネル１５に接触したとき、操作部材３２ａ、３２ｂ、３２ｃの下端がタッチパネル１５に接近し、それによりタッチ操作が行われる。
【００４３】
また、底板３７が弾性変形可能であり、ユーザがノブ３０をタッチパネル１５に押し付ける際、押し付ける力を変えることで、操作部材３２ａ、３２ｂ、３２ｃとタッチパネル１５の電極とで形成される静電容量が変わる構成であっても良い。
【００４４】
操作部材３２ａ、３２ｂ、３２ｃはその全体が導体で構成されていても良く、内部が絶縁材料で形成され、表面に導体の層又は膜が形成されたものであっても良い。
【００４５】
３つの操作部材３２ａ、３２ｂ、３２ｃ相互間の距離は互いに等しい。言い換えれば、３つの操作部材３２ａ、３２ｂ、３２ｃは、正三角形の３つの頂点位置にそれぞれ配置されている。
【００４６】
尚、操作部材の数は、３に限定されず、２以下又は４以上であってもよい。例えば、操作部材の数が４の場合には、４個の操作部材は、正方形の４個の頂点位置にそれぞれ配置されることが望ましい。
複数の操作部材の配置は、上記の例に限定されず、予め決められた位置関係を持つものであればよい。
【００４７】
以上のように、操作部材は、その下端がタッチパネルに接触乃至接近することで、容量変化を生じさせ、それによって操作位置の検出を可能にするものである。
操作部材は、図示の例のように、円柱状のものに限定されず、角柱状であっても良く、球状のものであっても良い。また、例えば、ケースの下部（例えば、底板の下面又は上面）に形成された導電パターンで構成されていても良い。
【００４８】
ケース３１の形状は、図示の形状に限定されず、ユーザが把持できる形状であれば、他の形状であってもよい。
【００４９】
入力操作検出装置２２は、上記のノブ３０による入力操作及びノブ以外の操作オブジェクトによる入力操作を検出する。
以下では、ノブ３０以外の操作オブジェクトとしては指を想定して説明をする。
【００５０】
以下、ノブ３０がタッチパネル１５に接触したときに発生する容量変化およびそれによる検出信号の変化について、図７（ａ）〜（ｄ）を参照して説明する。
【００５１】
図７（ａ）及び（ｂ）は相互容量方式での変化を示し、図７（ｃ）及び（ｄ）は自己容量方式での変化を示す。図７（ａ）及び（ｃ）はノブ３０に指が接触していない状態を示し、図７（ｂ）及び（ｄ）はノブ３０（具体的にはそのケース部３１）に指Ｈｆが接触している状態を示す。
【００５２】
図７（ａ）〜（ｄ）で、Ｘ電極のうちの幾つかを符号５２ｉ、５２ｊで示し、Ｙ電極の一つを符号５４ｋで示す。Ｘ電極５２ｉは選択されており、Ｘ電極５２ｊは選択されていないものとする。選択されているＸ電極５２ｉには駆動信号Ｓｄが印加される。
【００５３】
図示の例では、操作部材３２ａ、３２ｂは選択されている電極５２ｉに接近しており、操作部材３２ｃは、選択されていない電極５２ｊに接近している。
上記のように、操作部材３２ａ、３２ｂ、３２ｃは、ノブ３０のケース部３１と導通している。
【００５４】
操作部材３２ｃが電極５２ｊに接近しているため、ノブ３０と電極５２ｊとにより静電容量Ｃｋｊが形成されている（図７（ａ）〜（ｄ））。
【００５５】
図７（ｂ）、（ｄ）に示すように、ノブ３０に指Ｈｆが接触している場合は、ノブ３０と指Ｈｆにより静電容量Ｃｋｆが形成され、この静電容量Ｃｋｆを介してノブ３０が接地されていると見ることができる。これは、人は接地されていると見ることができるからである。
【００５６】
図８（ａ）〜（ｃ）は、相互容量方式での検出を説明するための等価回路図であり、検出において選択されているＸ電極５２ｉと選択されているＹ電極５４ｋの交点の周辺に形成される主な静電容量を示す。
図９（ａ）〜（ｃ）は、自己容量方式での検出を説明するための等価回路図であり、検出において選択されているＸ電極５２ｉとその周辺に形成される主な静電容量を示す。
【００５７】
図８（ａ）及び図９（ａ）は、ノブ３０及び指Ｈｆのいずれもタッチパネル１５に接触していない場合の等価回路（タッチパネル１５のうち、ノブ３０及び指Ｈｆのいずれもタッチパネル１５に接触していない箇所の等価回路）を示し、図８（ｂ）及び図９（ｂ）は、指が接触していないノブ３０がタッチパネル１５に接触している場合（図７（ａ）及び図７（ｃ）の場合）の等価回路（タッチパネル１５のうち、指が接触していないノブ３０が接触している箇所の等価回路）を示し、図８（ｃ）及び図９（ｃ）は、指が接触しているノブ３０がタッチパネル１５に接触している場合（図７（ｂ）及び図７（ｄ）の場合）の等価回路（タッチパネル１５のうち、指が接触しているノブ３０が接触している箇所の等価回路）を示す。
【００５８】
図８（ａ）〜（ｃ）、及び図９（ａ）〜（ｃ）において、Ｃｉｙは、電極５２ｉと電極５４ｋと間に形成される静電容量、Ｃｉｋは、電極５２ｉとノブ３０との間に形成される静電容量、Ｃｋｊは、上記のように、ノブ３０と電極５２ｊとの間に形成される静電容量、Ｃｋｙは、ノブ３０と電極５４ｋとの間に形成される静電容量、Ｃｋｆは、上記のように、ノブ３０と指Ｈｆとの間に形成される静電容量である。
【００５９】
図７（ａ）及び（ｂ）及び図８（ａ）〜（ｃ）に示すように、相互容量方式では、選択されているＸ電極５２ｉに駆動信号Ｓｄが印加され、選択されていないＸ電極５２ｊには駆動信号Ｓｄが印加されず、例えば接地電位Ｖｇに維持される。Ｙ電極５４ｋは、受信電極として作用しており、Ｙ電極５４ｋから検出信号Ｓｒが得られる。駆動信号Ｓｄは例えば電圧パルスであり、検出信号Ｓｒは例えばＹ電極５４ｋに流れる電流による信号である。
【００６０】
選択されていないＸ電極５２ｊには駆動信号Ｓｄが印加されず、選択されていないＸ電極５２ｊは、接地電位Ｖｇに維持されるので、静電容量Ｃｋｊを介してノブ３０が接地されていると見ることができる。
【００６１】
このため、ノブ３０がタッチパネル１５に接触しているか否かによって、検出信号Ｓｒに違いが生じる。
即ち、ノブ３０がタッチパネル１５に接触している場合（図８（ｂ）、（ｃ））には、駆動信号Ｓｄが印加されたとき、静電容量Ｃｋｊに充電電流が流れるが、ノブ３０がタッチパネル１５に接触していない場合（図８（ａ））には、駆動信号Ｓｄが印加されても、そのような充電電流が流れない。この違いにより、検出信号Ｓｒに違いが生じる。この違いに基づいて、ノブ３０がタッチパネル１５に接触しているか否かの判定を行うことができる。
【００６２】
このように、相互容量方式では、静電容量Ｃｋｊによる容量変化を利用して、ノブ３０がタッチパネル１５に接触しているか否かの判定を行うことができる。
【００６３】
図７（ｃ）及び（ｄ）及び図９（ａ）〜（ｃ）に示すように、自己容量方式では、選択されているＸ電極５２ｉに駆動信号Ｓｄが印加され、当該電極５２ｉから検出信号が得られる。駆動信号Ｓｄは例えば電圧パルスであり、検出信号Ｓｒは例えば当該電極５２ｉに流れる電流による信号である。
自己容量方式では、選択されているＸ電極５２ｉの周囲の電極５２ｊにも、駆動信号Ｓｄと同様の信号Ｓｃが印加され、これにより、上記周囲の電極５２ｊは、選択されている電極５２ｉと同じ電位に保たれる。
【００６４】
選択されていない電極５２ｊが選択されている電極５２ｉと同じ電位に保たれるので、図７（ｃ）及び図９（ｂ）に示すように、ノブ３０がタッチパネル１５に接触していても、静電容量Ｃｋｊは検出信号Ｓｒには殆ど影響を与えない。
そのため、選択されている電極５２ｉに駆動信号Ｓｄを印加した時に得られる検出信号Ｓｒは、ノブ３０がタッチパネル１５に接触していないとき（図９（ａ））の検出信号Ｓｒと比べて大きな違いがない。
【００６５】
一方、静電容量Ｃｋｆのため、図７（ｄ）及び図９（ｃ）に示すように、ノブ３０に指Ｈｆが接触しているときの検出信号Ｓｒは、そうでないとき（ノブ３０がタッチパネル１５に接触していないとき（図９（ａ））及びノブ３０に指が接触していないとき（図７（ｃ）及び図９（ｂ）））の検出信号Ｓｒと比べて大きく異なるものとなる。
これは、ノブ３０に指Ｈｆが接触しているときは、駆動信号Ｓｄが印加されたときに静電容量Ｃｋｆに充電電流が流れるのに対し、そうでないときは、駆動信号Ｓｄが印加されたときにそのような充電電流が流れないためである。
このような検出信号Ｓｒの違いに基づいてノブ３０に指Ｈｆが接触しているか否かの判定を行うことができる。
【００６６】
上記のように、相互容量方式では、ノブ３０に指Ｈｆが接触していない場合にも、ノブ３０のタッチパネル１５への接触を検出することが可能である一方、ノブ３０に指Ｈｆが接触しているか否かの判定をすることができない。
【００６７】
これに対し、自己容量方式では、ノブ３０に指Ｈｆが接触しているか否かの判定をすることができる。
【００６８】
以下では、静電容量の変化量が閾値（容量変化量閾値）以上であることを、「反応がある」と言う。
【００６９】
以上、操作部材３２ａが電極５２ｉ及び５４ｋに接近しており、操作部材３２ｂが電極５２ｉに接近しており、操作部材３２ｃが電極５２ｊに接近している場合について説明したが、操作部材３２ａ、３２ｂ、３２ｃのいずれかが電極５２ｉに接近しており、操作部材３２ａ、３２ｂ、３２ｃのいずれかが電極５２ｊに接近しており、操作部材３２ａ、３２ｂ、３２ｃのいずれかが電極５４ｋに接近していれば、駆動信号Ｓｄに対する検出信号Ｓｒの変化が上記と同様となる。
【００７０】
選択されていないＸ電極に印加される信号Ｓｃは、選択されているＸ電極に印加される信号Ｓｄと同じでなくても、十分に近い値であれば良い。ここで十分に近いとは、上記と同様の検出結果が得られる範囲内にあることを意味する。
【００７１】
ノブ３０を含む種々導体がタッチパネルに接触したときに検出される容量変化を図１０（ａ）〜（ｒ）に示す。図１０（ａ）〜（ｆ）は、タッチパネルへの導体の接触に関する異なる状態を示し、図１０（ｇ）〜（ｌ）は、相互容量方式での検出結果を示し、図１０（ｍ）〜（ｒ）は、自己容量方式での検出結果を示す。
【００７２】
図１０（ａ）に示すようにタッチパネルに導体が接触していないときは、図１０（ｇ）及び（ｍ）に示す如く、相互容量方式及び自己容量方式のいずれでも反応がない。
図１０（ｂ）に示すように、タッチパネルに人の指Ｈｆが接触している場合には、図１０（ｈ）及び（ｎ）に示すように、相互容量方式でも、自己容量方式でも反応がある。
【００７３】
図１０（ｄ）に示すように、タッチパネルに水Ｗｔが付着し、該水が接地されている場合（例えば人の指Ｈｆが水Ｗｔに接触している場合）には、図１０（ｊ）及び（ｐ）に示すように、相互容量方式でも、自己容量方式でも反応がある。
【００７４】
図１０（ｃ）に示すように、タッチパネルに水Ｗｔが付着し、該水が接地されていない場合（人の指による接触もない場合）には、相互容量方式では図１０（ｉ）に示すように反応があるが、自己容量方式では図１０（ｏ）に示すように、反応がない。
【００７５】
図１０（ｆ）に示すように、タッチパネルにノブ３０が接触し、該ノブ３０が接地されている場合（例えば人の指Ｈｆが接触している場合）には、図１０（ｌ）及び（ｒ）に示すように、相互容量方式でも、自己容量方式でも反応がある。これについては、図７（ｂ）及び（ｄ）を参照して説明した通りである。
【００７６】
図１０（ｅ）に示すように、タッチパネルにノブ３０が接触し、該ノブ３０が接地されていない場合（人の指による接触もない場合）には、図１０（ｋ）に示すように、相互容量方式では検出されるが、図１０（ｑ）に示すように、自己容量方式では反応がない。これについては、図７（ａ）及び（ｃ）を参照して説明した通りである。
【００７７】
以上のように、相互容量方式では、タッチパネルに接触しているノブ３０に人の指が接触しているか否かの判別ができない（図１０（ｋ）及び（ｌ））。
同様に、タッチパネルに付着している水に人の指が接触しているか否かの判別ができない（図１０（ｉ）及び（ｊ））。
さらに、タッチパネルに水が付着しているのか、人の指が接触しているのか、ノブ３０が接触しているのかの判別ができない（図１０（ｈ）〜（ｌ））。
一方、何等かの導体が付着乃至接触している状態とそうでない状態との判別はできる（図１０（ｇ）〜（ｌ））。
【００７８】
自己容量方式では、タッチパネルに接触しているノブ３０に人の指が接触しているか否かの判別ができる（図１０（ｑ）及び（ｒ））。
同様に、タッチパネルに付着している水に人の指が接触しているか否かの判別ができる（図１０（ｏ）及び（ｐ））。
【００７９】
一方、人の指Ｈｆが接しているノブ３０がタッチパネルに接触している状態（図１０（ｒ））、と、人の指Ｈｆが接している水Ｗｔがタッチパネルに付着している状態（図１０（ｐ））と、人の指Ｈｆがタッチパネルに接触している状態（図１０（ｎ））との判別を行うことができない。
また、接地されていないノブ３０がタッチパネルに接触している状態（図１０（ｑ））、及び接地されていない水がタッチパネルに付着している状態（図１０（ｏ））と、導体が一切接触或いは付着していない状態（図１０（ｍ））との判別を行うことができない。
【００８０】
さらに、先に述べたように、相互容量方式では、複数の位置で容量変化が起きてもそれらの位置を一義的に特定することができる。
これに対して、自己容量方式では、複数の位置で容量変化が起きると、それらの位置を一義的に特定することができない。
【００８１】
本実施の形態では、両方式の上記の違いを考慮し、両方式を組み合わせることで、タッチパネルへの指の接触、タッチパネルへのノブ３０の接触、ノブ３０への指の接触等の検出及び判別を行う。
【００８２】
図１１は、操作入力処理部５８の構成例を示す。
操作入力処理部５８は、第１の検出部２０１、第２の検出部２０２、メモリ制御部２０９、メモリ２１０、ノブタッチ点判定部２１１、ノブ指接触判定部２１２、指タッチ判定部２１３、及び動き判定部２１４を有する。
第１の検出部２０１と第２の検出部２０２とでタッチ検出部２０５が構成されている。
【００８３】
第１の検出部２０１は、駆動部５６との協働により、相互容量方式での容量変化量の検出を行う。
第１の検出部２０１は、相互容量方式での容量変化量の検出の際に、受信電極（Ｘ電極）から得られる検出信号と、駆動されている電極を示す情報とに基づいて、Ｘ電極５２とＹ電極５４の交点の各々における容量変化量を検出し、容量変化量に応じた検出値を取得し、取得した検出値を表すデータを出力する。第１の検出部２０１は、複数の交点について取得した検出値から１又は２以上のタッチ点を検出する。
容量変化量が閾値（相互容量変化量閾値）以上である交点を反応点という。
【００８４】
例えば、相連続する反応点から成る領域を一つのタッチ点と認定する。また、上記のような領域であって、反応点の容量変化量が山型に分布している場合、即ち、中央付近に容量変化量のピーク（極大値）があって、ピークの位置から遠ざかるにつれ容量変化量が次第に小さくなる場合に限りタッチ点と認定することとしても良い。ピークが閾値以上のものであることを付加条件としても良い。或いはまた、上記の領域の面積（領域を構成する反応点の数）が予め定められた値以上であることを付加条件としても良い。
【００８５】
第１の検出部２０１は、検出したタッチ点の位置を表すデータを出力する。
タッチ点の位置は、Ｘ座標とＹ座標の組み合わせで表される。
タッチ点が１又は２以上の交点から成る領域で構成される場合、そのような領域の代表的な点の位置をタッチ点の位置と認定しても良い。例えば、そのような領域のうち、容量変化量が最大である位置をタッチ点の位置と認定しても良く、そのような領域の図形的重心の位置をタッチ点の位置と認定しても良い。
【００８６】
第１の検出部２０１はまた、検出したタッチ点について、タッチ強度を表すデータを出力する。タッチ強度は例えば、タッチ点を構成する１又は２以上の交点についての容量変化量の平均値、最大値又は合計値で表される。
第１の検出部２０１はまた、検出したタッチ点について、タッチ領域の面積（交点の数）を表すデータを出力しても良い。
タッチ点の位置を表すデータ、タッチ点のタッチ強度を表すデータ及びタッチ領域の面積を表すデータは当該タッチ点についてのタッチ情報としてメモリ２１０に記憶される。
【００８７】
第２の検出部２０２は、駆動部５６との協働により、自己容量方式での容量変化量の検出を行う。
第２の検出部２０２は、自己容量方式での容量変化量の検出の際に、受信電極から得られる検出信号に基づいて、電極毎の容量変化量に応じた検出値を取得し、取得した検出値を表すデータを出力する。
【００８８】
Ｘ電極の容量変化量を集めたものは、容量変化量をＸ軸に投影したデータ、或いは、容量変化量のＸ方向のプロファイルであると言える。
同様に、Ｙ電極の容量変化量を集めたものは、容量変化量をＹ軸に投影したデータ、或いは、容量変化量のＹ方向のプロファイルであると言える。
第２の検出部２０２での検出で得られたデータもメモリ２１０に記憶される。
【００８９】
操作入力処理部５８内の各機能部で得られ、メモリ２１０に記憶されたデータは、後に読み出されて当該機能部又は他の機能部で利用される。
メモリ２１０への書き込み及び読み出しは、メモリ制御部２０９により行われる。
なお、図３では、メモリ２１０への書き込み及び読み出しのためのデータの流れを示す信号線の図示を省略している。以下の同様の図でも同じである。
【００９０】
ノブタッチ点判定部２１１は、第１の検出部２０１が検出したタッチ点に、ノブ３０の操作部材３２ａ、３２ｂ、３２ｃによるタッチ点が含まれるか否かの判定を行う。以下では、ノブ３０の操作部材によるタッチ点をノブタッチ点と呼ぶ。
【００９１】
例えば、ノブタッチ点判定部２１１は、第１の検出部２０１で検出されたタッチ点の数が３以上である場合、検出された全てのタッチ点についての検出結果から、予め定められた条件を満たす３つのタッチ点の組み合わせを抽出して、ノブタッチ点と認定する。
予め定められた条件は、例えば、３つのタッチ点の相互間の距離が互いに等しくかつ予め定められた値の範囲内にあることである。予め定められた範囲は、操作部材間の標準的距離に対して予め定められた許容誤差を減算した値から該許容誤差を加算した値までの範囲である。
３つのタッチ点の各々におけるタッチ強度が閾値（タッチ強度閾値）以上であることを付加条件としても良い。
【００９２】
ノブ指接触判定部２１２は、ノブタッチ点判定部２１１が認定した各ノブタッチ点の位置を表すデータ、及び第２の検出部２０２による検出結果（Ｘ方向の容量変化量のプロファイル及びＹ方向の容量変化量のプロファイル）から、ノブに指が接触している状態であるか離れた状態であるかの判定（ノブ指接触判定）を行う。
【００９３】
例えば、ノブタッチ点判定部２１１で認定された３つのノブタッチ点のうちの少なくとも１つのノブタッチ点について、当該ノブタッチ点と同じＸ方向位置及び同じＹ方向位置の少なくとも一方における、自己容量方式での容量変化量の検出値の平均又は合計が閾値（ノブ指接触判定閾値）以上の場合、ノブに指が接触していると判定する。
ここで、ノブタッチ点の各々は複数の電極に跨る可能性があるので、ノブタッチ点と同じＸ方向位置には複数の電極の位置が含まれる可能性があり、ノブタッチ点と同じＹ方向位置には複数の電極の位置が含まれる可能性がある。
上記の「容量変化量の検出値の平均又は合計」は、そのような複数の電極についての平均又は合計を意味する。
【００９４】
ノブ指接触判定部２１２は、各処理タイミングにおける上記判定の結果をメモリ２１０に記憶させる。各ノブタッチ点についての上記判定の結果は、当該ノブタッチ点についての上記のタッチ情報に関連付けて記憶される。異なる処理タイミングにおける判定結果を蓄積することで、ノブ指接触判定結果の時系列（履歴）が形成される。
ノブ指接触判定部２１２は、判定結果の時系列から（例えば最新の判定結果及びその直近の過去における判定の結果から）、ノブ指接触状態に変化が生じたと判定したときは、そのことを示すデータを出力する。ノブ指接触状態における変化とは、ノブに指が接触している状態及びノブに指が接触していない状態の一方から他方への変化（遷移）を意味する。
【００９５】
指タッチ判定部２１３は、ノブタッチ点判定部２１１での判定結果及び第１の検出部２０１での検出結果を受け、ノブタッチ点判定部２１１でノブタッチ点と判定されなかった１つ以上のタッチ点の各々が、指によりタッチ操作が行われたタッチ点であるか否かの判定を行い、判定結果を出力する。
指タッチ判定部２１３は、各処理タイミングにおける上記判定の結果をメモリ２１０に記憶させる。各タッチ点についての上記判定の結果は、当該タッチ点についての上記のタッチ情報に関連付けて記憶される。異なる処理タイミングにおける判定結果を蓄積することで、指タッチ判定結果の時系列（履歴）が形成される。
【００９６】
動き判定部２１４は、ノブタッチ点判定部２１１で特定されたノブタッチ点の位置の履歴（メモリ２１０に記録されている）に基づいて、ノブが回転していることの検知、ノブがスライドしていることの検知を行う。
動き判定部２１４はまた、指タッチ判定部２１３で特定された指タッチ点の位置の履歴（メモリ２１０に記録されている）に基づいて、指の動きによる、入力操作のためのジェスチャが行われたことの検知を行う。
【００９７】
図２に示されるイベント処理部２４は、ノブ指接触判定部２１２による検出結果、指タッチ判定部２１３による判定結果、及び動き判定部２１４による判定結果に基づくイベント処理を行う。
【００９８】
例えば、イベント処理部２４は、以下の（ａ）〜（ｆ）のイベントが発生した場合に、各イベントに予め対応付けられている制御を行なう。この制御には、制御装置２０内の各機能部（表示制御部２６等）の各機能部に対する制御が含まれる。
（ａ）  ノブ指接触判定部２１２により指がノブ３０に接触した（接触していない状態から接触している状態に遷移した）ことが検出された。
（ｂ）  ノブ指接触判定部２１２により指がノブ３０から離れた（接触している状態から接触していない状態に遷移した）ことが検出された。
（ｃ）  指タッチ判定部２１３により指がタッチパネル１５に接触した（接触していない状態から接触している状態に遷移した）ことが検出された。
（ｄ）  指タッチ判定部２１３により指がタッチパネル１５から離れた（接触している状態から接触していない状態に遷移した）ことが検出された。
（ｅ）  動き判定部２１４で、ノブが回転していることの検知、又はノブがスライドしていることの検知が行われた。
（ｆ）  動き判定部２１４で、指により入力操作のためのジェスチャが行われたとの検知が行われた。
【００９９】
図２に示される表示制御部２６は、入力操作を支援するための画像等を表示器１７に表示させる。
タッチ入力装置１０における入力操作は、例えば、表示器１７に入力操作を支援するための画像が表示された状態で実行される。
【０１００】
タッチ入力装置１０が車載情報機器に応用されるものである場合、表示制御部２６は、表示器１７による画像表示に加えて、車両に設けられた図示しないＨＵＤ（Ｈｅａｄ−ｕｐ  Ｄｉｓｐｌａｙ）による画像表示を制御するものであっても良い。
より具体的には、表示制御部２６は、ノブ３０又は指による入力操作に応じて実行される制御の種類、内容等を示す画像をＨＵＤに表示させる機能を有するものであっても良い。
【０１０１】
この場合、イベント処理部２４は、入力操作が検出されたとき、上記の画像をＨＵＤに表示させる制御を表示制御部２６に指示するものであっても良い。
ユーザは、ノブ３０により入力操作をすることにより、車両前方に視線を向けたまま、入力操作に応じて実行される制御の種類又は内容等を確認することができる。
この結果、ユーザの視線移動を少なくすることができる。
【０１０２】
以下、制御装置２０の処理のうち、ノブによる入力操作に対応する処理の手順を図１２を参照して説明する。
【０１０３】
ステップＳＴ１１で、第１の検出部２０１は、駆動部５６との協働により、第１の検出方式（相互容量方式）での容量変化量の検出を行い、Ｘ電極５２とＹ電極５４の交点の各々における容量変化量を検出し、検出結果から１又は２以上のタッチ点を検出する。第１の検出部２０１はさらに、検出したタッチ点の位置を表すデータ、及び検出したタッチ点について、タッチ強度を表すデータ及びタッチ領域の面積を表すデータを出力する。
【０１０４】
ステップＳＴ１２で、第２の検出部２０２は、駆動部５６との協働により、第２の検出方式（自己容量方式）での容量変化量の検出を行い、容量変化量のＸ方向のプロファイル及び容量変化量のＹ方向のプロファイルを生成し、該プロファイルを表すデータを出力する。
【０１０５】
ステップＳＴ１３で、ノブタッチ点判定部２１１は、第１の検出部２０１で検出されたタッチ点の数が３以上である場合、検出された全てのタッチ点から、３つのタッチ点の組み合わせを全て求める。
【０１０６】
ステップＳＴ１４において、ノブタッチ点判定部２１１は、全ての３つのタッチ点の組み合わせについて、ステップＳＴ１５〜ステップＳＴ１６の処理を繰り返す。
【０１０７】
ステップＳＴ１５において、ノブタッチ点判定部２１１は、上記の組合せの各々を構成する３つのタッチ点が、ノブタッチ点であるか否かの判定を行う。
この判定は、３つのタッチ点がノブタッチ点である場合に満たされるべき条件を予め定めておき、各組み合わせを構成する３つのタッチ点が、上記の予め定められた条件を満たすか否かによって行われる。
【０１０８】
ステップＳＴ１６において、ノブタッチ点判定部２１１は、ノブタッチ点が見つかったかの判定を行う。見つからない場合、ステップＳＴ１５を繰り返し、全ての組み合わせのいずれについても、ノブタッチ点であるとの判定がなされなかった場合、タッチパネル１５上にノブ３０は無いものと判断する。
【０１０９】
ノブタッチ点であるとの判定がなされた場合、ノブタッチ点判定部２１１はノブタッチ点の探索を止めてステップＳＴ１７に進む。
【０１１０】
ステップＳＴ１７において、ノブ指接触判定部２１２は、第２の検出部２０２での検出結果を基に、ノブ（ステップＳＴ１６で認定されたノブタッチ点でタッチ操作が行われたノブ）に指が接触しているか否かの判定（ノブ指接触判定）を行う。
【０１１１】
ステップＳＴ１８において、ノブ指接触判定部２１２は、それ以前に行われたステップＳＴ１７におけるノブ指接触判定結果の履歴から（例えば、直前に行われたステップＳＴ１７におけるノブ指接触判定結果とそれよりも前に行われたステップＳＴ１７におけるノブ指接触判定結果とから）、ノブ指接触状態に変化があったか判定し、ノブ指接触状態に変化があった場合には、ステップＳＴ１９へ進む。そうでない（ノブ指接触状態に変化がなかった）場合、ステップＳＴ２０へ進む。
【０１１２】
ステップＳＴ１９において、イベント処理部２４は、接触状態変化に対応するイベント処理を実行する。このイベント処理の一部として、表示制御部２６は、接触状態に変化があったことをユーザに伝える。
【０１１３】
ステップＳＴ２０において、動き判定部２１４は、ノブタッチ点判定部２１１で特定されたノブタッチ点の位置の履歴に基づいて、ノブが回転していることの検知、ノブがスライドしていることの検知を行い、イベント処理部２４は、動き判定部２１４で検知されたノブの回転又はスライドに対応したイベント処理を実行する。
【０１１４】
以下、ステップＳＴ１５の動作（ノブタッチ点の認定）の具体例を説明する。
まず、ノブタッチ点判定部２１１は、各組合せの３つのタッチ点相互間の距離を求める。
次に求めた距離が全て予め定められた範囲内に収まっているか否かを判断する。
【０１１５】
求めた距離が予め定められた範囲内に収まっている場合、３つのタッチ点はノブ３０の操作部材によるタッチ点であると判定する。
なお、上記の条件に加え、各タッチ点のタッチ強度が閾値（タッチ強度閾値）以上であることを付加条件としても良い。
【０１１６】
次に、ステップＳＴ１７における、ノブ指接触判定の具体例を説明する。
例えば、ステップＳＴ１６で認定された３つのノブタッチ点のうちの少なくとも１つのノブタッチ点について、当該ノブタッチ点と同じＸ方向位置及び同じＹ方向位置の少なくとも一方における、自己容量方式での容量変化量の検出値の平均又は合計が閾値（ノブ指接触判定閾値）以上の場合、ノブに指が接触していると判定する。
【０１１７】
ここで、「少なくとも１つのノブタッチ点」ではなく、「３つのノブタッチ点」という制約を付けても良い。即ち、ステップＳＴ１６で認定された３つのノブタッチ点の各々について、当該ノブタッチ点と同じＸ方向位置又は同じＹ方向位置における容量変化量の検出値が閾値（自己容量変化量閾値）以上の場合、ノブに指が接触していると判定することとしても良い。
【０１１８】
また、３つのノブタッチ点にそれぞれ対応するＸ方向位置の容量変化量の検出値の合計が閾値（Ｘ方向合計閾値）以上の場合、又は３つのノブタッチ点にそれぞれ対応するＹ方向位置の容量変化量の検出値の合計が閾値（Ｙ方向合計閾値）以上の場合に、ノブに指が接触していると判定することとしても良い。
【０１１９】
ステップＳＴ１７（ノブ指接触判定）の前述した一例では、自己容量方式で検出された容量変化量を用いているが、相互容量方式で検出された容量変化量の検出値の時間の経過に伴う変化及び自己容量方式で検出された容量変化量の検出値の時間の経過に伴う変化を双方とも用いてノブ指接触判定を行っても良い。
【０１２０】
また、過去の容量変化量の検出値（即ち、検出結果の履歴）をも、ノブ指接触判定に用いても良い。
【０１２１】
さらにまた、隣り合う或いは相連続する複数の電極について、自己容量方式で検出された容量変化量に基づいて判定を行うこととしても良い。以下、この点について図１３（ａ）及び（ｂ）を参照して説明する。
【０１２２】
図１３（ａ）で、５２ａ〜５２ｈは、図１のＸ電極５２のうちの一部を示す。なお、図１では、Ｘ電極５２の数が４であるとしているが、図１３（ａ）では、Ｘ電極５２の数が８以上である場合を想定している。３２ｉ、３２ｊの各々は操作部材３２ａ、３２ｂ、３２ｃのいずれかを指す。
図１３（ａ）から分かるように、電極５２ａ〜５２ｈに対する操作部材３２ｉ、３２ｊの相対的位置によって、各操作部材が対向する電極の数が変わり、各操作部材のうち、各電極と対向する部分の面積が変わる。
【０１２３】
図１３（ａ）に示す例では、操作部材３２ｉは３本の電極５２ａ〜５２ｃに対向し、操作部材３２ｊは２本の電極５２ｆ及び５２ｇに対向する。操作部材３２ｉのうち、電極５２ｂに対向する部分の面積は大きく、操作部材３２ｉのうち、電極５２ａ、５２ｃに対向する部分の面積は小さい。
このため、操作部材に対向する電極で検出される容量変化量は、図１３（ｂ）に示す如く、電極毎に異なるものとなる。
【０１２４】
一方、電極５２ａ〜５２ｃについての容量変化量の検出値Ｃｖａ〜Ｃｖｃの合計又は平均値と、電極５２ｆ、５２ｇについての容量変化量の検出値Ｃｖｆ、Ｃｖｇの合計又は平均値とを用いれば、相互間の差がより小さくなる。
【０１２５】
そこで、そのような合計又は平均値を用いて、ノブ指接触判定を行うことで、電極と操作部材との位置関係の違いに対するロバスト性を向上することができる。
【０１２６】
具体的には、相連続する複数の電極で閾値（自己容量変化量閾値）以上の容量変化が検出された場合には、それらの容量変化量の平均値又は合計値を求め、該平均値又は合計値に基づいて、操作部材が接触したか否かの判定をすることとすれば良い。
【０１２７】
次に、タッチパネル１５にノブが接触しており、かつ他の導体が接触している場合の問題について説明する。他の導体としては水を想定している。
図１４（ａ）〜（ｇ）は、タッチパネルへのノブ及び水の接触に関する異なる状態を示し、図１４（ｆ）〜（ｊ）は、相互容量方式での検出結果を示し、図１４（ｋ）〜（ｏ）は、自己容量方式での検出結果を示す。
【０１２８】
図１４（ａ）、（ｂ）、（ｃ）は、ノブ３０に対してＸ方向に並んだ位置に水Ｗｔが付着している場合を示し、図１４（ｄ）、（ｅ）は、タッチパネル１５の端部に水Ｗｔが付着し、端部筐体（枠体）１５ｆに接触している場合を示す。
【０１２９】
図１４（ａ）、（ｂ）、（ｃ）に示されるように、タッチパネル１５に水Ｗｔが付着している状態で相互容量方式で検出を行うと、水Ｗｔが付着した位置とノブ３０の操作部材の位置の双方で容量変化が検出される（図１４（ｆ）、（ｇ）、（ｈ））。
【０１３０】
一方、自己容量方式では、接地されている（例えば指Ｈｆが触れている）水付着部では反応がある（図１４（ｍ））が、接地されていない（指による接触もない）水付着部では反応がない（図１４（ｋ）、（ｌ））。
【０１３１】
従って、図１４（ｂ）に示すように、タッチパネル１５に接しているノブ３０に指Ｈｆが接触しており、かつタッチパネル１５に付着している水Ｗｔが接地されていない（指による接触もない）場合には、自己容量方式でのＸ方向プロファイル（Ｘ電極での検出結果）においては、ノブ３０に対応する位置では反応があるが、水付着部では反応がない（図１４（ｌ））。
【０１３２】
逆に、図１４（ｃ）に示すように、タッチパネル１５に接しているノブ３０に指Ｈｆが接触しておらず、かつタッチパネル１５に付着している水Ｗｔが接地されている（指Ｈｆが接触している）場合には、自己容量方式でのＸ方向プロファイルにおいては、ノブ３０に対応する位置では反応がなく、水付着部では反応がある（図１４（ｍ））。
【０１３３】
一方で、図１４（ａ）、（ｂ）、（ｃ）に示すようにノブ３０に対してＸ方向に並んだ位置に水Ｗｔが付着している場合、自己容量方式によるＹ方向プロファイル（Ｙ電極での検出結果）からは、指Ｈｆが接触している水Ｗｔによる容量変化（図１４（ｍ））か、指Ｈｆが接触しているノブ３０による容量変化（図１４（ｌ））かの区別が付かない。
【０１３４】
そこで、ステップＳＴ１７では、ステップＳＴ１５、ＳＴ１６でノブタッチ点が検出され、かつノブタッチ点と異なる位置に１又は２以上の反応点がある場合には、そのような反応点の位置に応じて、ノブ指接触判定の方法（判定基準）を変えることとしても良い。
【０１３５】
例えば、ステップＳＴ１５によりノブタッチ点が検出され、且つノブタッチ点とは異なる位置に１又は２以上の反応点がある（図１４（ｆ）、（ｇ）、（ｈ））場合、上記のノブタッチ点とは異なる位置の反応点について、Ｘ電極での検出で得られた検出値（図１４（ｌ）、（ｍ）の点線の枠Ｎｓｒで囲まれた部分）は、ノブ指接触判定には用いず、Ｘ電極での検出で得られた検出値のうち、ノブタッチ点と同じＸ方向位置にあるＸ電極での検出で得られた検出値を用いて、ノブ指接触判定を行なうこととしても良い。
【０１３６】
一般化して言えば、ノブ指接触判定部２１２は、第２の検出方式での検出において、Ｘ電極のうち、ノブタッチ点とＸ方向の位置が同じである電極で取得された検出値を、ノブに指が接触しているか否かの判定に用い、Ｙ電極のうち、ノブタッチ点とＹ方向の位置が同じである電極で取得された検出値を、ノブに指が接触しているか否かの判定に用いることとしても良い。
【０１３７】
さらに、ノブタッチ点判定部２１１により認定されたノブタッチ点とは異なる位置の１又は２以上の反応点が、ノブタッチ点に対しＸ方向に並んだ位置にある場合、ノブ指接触判定部２１２は、第２の検出方式において、Ｘ電極のうち、ノブタッチ点とはＸ方向の位置が異なる電極で取得された検出値を、ノブに指が接触しているか否かの判定に用いず、ノブタッチ点判定部２１１により認定されたノブタッチ点とは異なる位置の１又は２以上の反応点が、ノブタッチ点に対しＹ方向に並んだ位置にある場合、ノブ指接触判定部２１２は、第２の検出方式において、Ｙ電極のうち、ノブタッチ点とはＹ方向の位置が異なる電極で取得された検出値を、ノブに指が接触しているか否かの判定に用いないこととしても良い。
【０１３８】
また、ノブタッチ点とは異なる位置の１又は２以上の反応点がノブタッチ点に対してＸ方向に並んだ位置又はノブタッチ点に対してＹ方向に並んだ位置にある場合、第１の検出部２０１による容量変化量の検出値を用いて、例えば該検出値の時間の経過に伴う変化を用いてノブ指接触判定を行っても良い。
【０１３９】
上記の種々の処理において、「ノブタッチ点とは異なる位置に１又は２以上の反応点がある」ことを条件とする代わりに、「ノブタッチ点以外のタッチ点がある」ことを条件としても良い。以下で説明する具体例、変形例等でも同様である。タッチ点は上記の通り相連続する反応点から成る領域である。
【０１４０】
この場合、「ノブタッチ点に対してＸ方向に並んだ位置にノブタッチ点以外のタッチ点がある」と認められるための条件として、「ノブタッチ点を構成する領域内で容量変化量が最大である交点を形成するＸ電極とその周辺のＮ本（Ｎは予め定められた整数）のＸ電極と、ノブタッチ点以外のタッチ点を構成する領域内で容量変化量が最大である交点を形成するＸ電極とその周辺のＭ本（Ｍは予め定められた整数）のＸ電極とが重ならない」ことを規定しても良い。
【０１４１】
同様に、「ノブタッチ点に対してＹ方向に並んだ位置にノブタッチ点以外のタッチ点がある」と認められるための条件として、ノブタッチ点を構成する領域内で容量変化量が最大である交点を形成するＹ電極とその周辺のＮ本（Ｎは予め定められた整数）のＹ電極と、ノブタッチ点以外のタッチ点を構成する領域内で容量変化量が最大である交点を形成するＹ電極とその周辺のＭ本（Ｍは予め定められた整数）のＹ電極とが重ならないことを規定しても良い。
【０１４２】
また、ノブタッチ点以外のタッチ点の面積がノブタッチ点の面積（操作部材の下端の面積）よりも大きい場合、該タッチ点は、水が付着した部分であると判断しても良い。
【０１４３】
さらに、図１４（ｄ）、（ｅ）のように、タッチパネル１５の端部に水Ｗｔが付着し、端部筐体（枠体）１５ｆに接触している場合は、電極と水との間に静電容量が発生し、自己容量方式での検出に反応が出てしまう（図１４（ｎ）、（ｏ））という問題がある。
この場合、自己容量方式での検出で得られた検出値の時間の経過に伴う変化に基づいてノブ指接触判定を行うこととしても良い。例えば、自己容量方式での検出で得られた検出値が急激に大幅に増加した場合には、ノブに指が接触したと判定し、自己容量方式での検出で得られた検出値が急激に大幅に減少した場合には、ノブから指が離れたと判定しても良い。このようにすれば、図１４（ｎ）、（ｏ）の点線の枠Ｋｓｒで示す部分における検出値の時間的変化に基づいて指がノブに接触している状態と指がノブから離れている状態の一方から他方への変化を検出することができる。
【０１４４】
また、ノブタッチ点とは異なる位置の１又は２以上の反応点が、ノブタッチ点に対してＸ方向に並んだ位置又はＹ方向に並んだ位置にある場合、ノブ指接触判定部２１２によるノブ指接触判定を一時的に行わないこととしても良い。その場合、その直近の過去のノブ指接触判定で認定した状態が続いているものとしても良い。
【０１４５】
また、ノブタッチ点とは異なる位置の１又は２以上の反応点が、ノブタッチ点に対してＸ方向に並んだ位置又はＹ方向に並んだ位置にある場合、ノブ指接触判定部２１２による、ノブ指接触判定の結果の出力、及びノブタッチ点判定部２１１によるノブタッチ点に関する情報の出力の少なくとも一方を行わないようにしても良い。
【０１４６】
また、第１の検出部２０１で検出される容量変化量はノブ３０の操作部材のうち、タッチパネルに接触している部分の面積に比例し、ノブ３０のケース部３１が撓むことで操作部材が部分的にタッチパネル１５の表面から離れたりするために、操作部材３２ａ、３２ｂ、３２ｃの一部又は全部について検出される容量変化量が不十分となり、その結果ノブタッチ点判定部２１１によるノブタッチ点の特定ができず、或いはノブタッチ点判定部２１１によるノブタッチ点の特定の結果の信頼度が低くなる場合がある。
【０１４７】
その場合、ノブ指接触判定部２１２が、第２の検出部２０２の出力に基づき、「ノブに指が接触している」と判定するまで、ノブタッチ点判定部２１１が、ノブタッチ点の特定を行わず、或いはノブタッチ点についてのタッチ情報の出力を行わず、ノブ指接触判定部２１２がノブに指が接触していると判定したら、その後、ノブタッチ点判定部２１１がノブタッチ点の特定、及びノブタッチ点についてのタッチ情報の出力を行うようにしても良い。
【０１４８】
さらに、第１の検出部２０１の感度が不足している場合、ノブタッチ点判定部２１１は、各ノブタッチ点に関するタッチ情報を十分に生成することができず、ノブタッチ点を特定することができないことがある。この場合、ノブ指接触判定部２１２がノブに指が接触していると判定しているときのノブタッチ点の位置情報（これには３つのノブタッチ点相互の位置関係を示す情報が含まれる）をメモリ２１０に記憶しておき、上記の記憶がなされた後は、記憶された情報を利用して、ノブ指接触判定部２１２が第２の検出部２０２による検出結果に基づいてノブに指が接触しているか否かを判定するようにしても良い。
【０１４９】
また、ノブ３０の３つのノブタッチ点のうちの１点又は２点の情報が得られた場合には、残りの点については、上記１点又は２点の情報と、メモリ２１０に記憶しておいたノブタッチ点の位置情報に基づき位置を推測しても良い。この場合、ノブタッチ点の移動の速度を例えば動き判定部２１４で検出し、検出した移動の速度をも考慮に入れても良い。
【０１５０】
上記の例では、第１の検出部では相互容量方式を用い、第２の検出部では自己容量方式を用いる構成について説明したが、他の検出方式を用いることも可能である。
要するに、第１の検出方式は、ノブタッチ点の位置の特定が可能であり、第２の検出方式はノブに指が接触しているか否かを第１の検出方式よりも確実に判定することが可能であれば良い。
【０１５１】
以上のように、入力操作にノブを用いることで、例えば、車載用機器への応用において、運転中で表示器１７に視線を向けることができない場合でも、ノブに手を当てると、ノブにより入力操作に割り当てられている機能（当該入力操作に応じて実行される制御の種類、内容等）をＨＵＤに表示し、これを確認しながらの操作を可能となるので、運転の安全性を高めることができる。
【０１５２】
また、ノブを用いることで、専用のセンサデバイスがなくてもダイヤル操作と同様の入力操作が可能となるので、操作性を高めるとともに、コストを削減できる。
【０１５３】
さらに上記の実施の形態では、第１の検出方式により１以上のタッチ点を求め、検出されたタッチ点の位置関係を基にノブタッチ点を特定することとしており、ノブ以外の導体（例えば水）による誤反応を抑制しつつ、ノブタッチ点の位置を正しく認識することができる。さらに、第２の検出方式での検出の結果を用いることで、ノブに指が接触しているか否かの判定を確実に行うことができる。
【０１５４】
また、上記の第１の検出方式での検出の結果と第２の検出方式での検出の結果を利用することで、水の付着による誤検知を検知することができる。また、車載用機器へ応用した場合に、車両の振動により把持されていないノブが移動した場合の誤操作を抑制できる。
【０１５５】
さらにまた、ノブに指が接触しているか否かの判定が可能な第２の検出部での結果を用いてノブに指が接触しているか否かの判定を行うので、第１の検出部は主にノブによるタッチ位置の特定に最適なものを選択することができ、タッチ位置の検出の精度（座標精度）を高くすることができる。
【０１５６】
第１の検出方式での検出を、上記以外の方法で行うことも可能である。
例えば、第１の検出方式として相互容量方式の代わりに、図１５（ａ）及び（ｂ）に示すように周辺電極を接地電位に制御した状態で容量変化量を検出する自己容量方式を用いても良い。
【０１５７】
図１５（ａ）及び（ｂ）に示す方式では、駆動部５６は、Ｘ電極及びＹ電極を順に選択し、選択した電極、例えば選択したＸ電極５２ｉに駆動信号Ｓｄを印加し、選択されていないＸ電極５２ｊには駆動信号Ｓｄを印加せず、接地電位に維持する。
【０１５８】
図１５（ａ）及び（ｂ）の方式で容量変化量の検出を行う場合、図１１に示される第１の検出部２０１の代わりに、図１６に示される、第１の検出部２０１ａが用いられる。図１６に示される第１の検出部２０１ａは、Ｘ電極５２に接続されるとともに、Ｙ電極５４にも接続されている。
【０１５９】
第１の検出部２０１ａは、駆動部５６との協働により、自己容量方式での容量変化量の検出を行う。
第１の検出部２０１ａは、自己容量方式での容量変化量の検出の際に、選択されている電極から得られる検出信号に基づいて、当該電極の容量変化量に応じた検出値を取得する。
【０１６０】
Ｘ電極の容量変化量の集合は、容量変化量のＸ方向のプロファイルを構成し、Ｙ電極の容量変化量の集合は、容量変化量のＹ方向のプロファイルを構成する。
【０１６１】
図１５（ａ）及び（ｂ）に示すように、ノブ３０がタッチパネル１５に接触しているときは、ノブ３０と電極５２ｊとの間に静電容量Ｃｋｊが形成される。
【０１６２】
図１５（ｂ）に示すようにノブ３０に指Ｈｆが接触しているときは、ノブ３０と指Ｈｆにより静電容量Ｃｋｆが形成され、図１５（ａ）に示すように、ノブ３０に指Ｈｆが接触していないときは、そのような静電容量Ｃｋｆが形成されない。
【０１６３】
ノブ３０がタッチパネル１５に接触していないときは、静電容量Ｃｋｆ、Ｃｋｊのいずれもが形成されない。
【０１６４】
以上の静電容量Ｃｋｊ、Ｃｋｆのうち、静電容量Ｃｋｊによる容量変化を、検出信号Ｓｒに基づいて検出する。
即ち、ノブ３０がタッチパネル１５に接触している場合には、駆動信号Ｓｄが印加されたとき、静電容量Ｃｋｊに充電電流が流れるが、ノブ３０がタッチパネル１５に接触していない場合には、駆動信号Ｓｄが印加されても、そのような充電電流が流れない。
この違いのため、駆動信号Ｓｄが印加されたときの検出信号Ｓｒに違いが生じる。
そこで、そのような検出信号Ｓｒの違いに基づいて、各電極についての容量変化量を検出する。さらに、該検出結果に基づいて、ノブ３０がタッチパネル１５に接触しているか否かの判定及び該タッチ点の特定を行う。
【０１６５】
なお、周辺電極を接地電位に制御する代わりに、フローティング状態にしても良い。
【０１６６】
図１５（ａ）及び（ｂ）に示される自己容量方式では、各電極における容量変化が検出されると、当該電極の長手方向（延在方向）のいずれかの位置で容量変化が生じたと判断することができるものの、当該電極の長手方向のどの位置で容量変化が起きたのかを特定できるとは限らない。
【０１６７】
容量変化がタッチパネル上の１箇所で起きた場合、複数のＸ電極における検出結果と複数のＹ電極における検出結果とを組み合わせることで、容量変化が起きた位置（Ｘ座標及びＹ座標）を一義的に特定することが可能である。
一方、容量変化がタッチパネル上の２箇所以上で同時に起きると、容量変化が起きた位置を一義的に特定することができない。その結果、容量変化量のＸ方向のプロファイル及び容量変化量のＹ方向のプロファイルに基づいてタッチ点を特定する際にも、真のタッチ点とゴースト点との区別ができない。
しかしながら、他の検出方式での検出の結果、及び既知の情報に基づいて、真のタッチ点とゴースト点との区別をすることが可能である。例えば、真のタッチ点とゴースト点の双方を一旦タッチ点候補として受け入れ、既知の情報に基づく条件を満たすタッチ点候補を、ノブタッチ点と判定することとしても良い。例えば、ノブの操作部材が正三角形の３つの頂点位置に配置されていることが分かっている場合には、タッチ点候補が正三角形の３つの頂点位置に配置されていることを上記の既知の情報に基づく条件として用いることができる。
【０１６８】
実施の形態２．
実施の形態１で、図７（ａ）〜（ｄ）〜図１４を参照して説明した構成では、第１の検出方式として相互容量検出方式を用い、第２の検出方式として、自己容量検出方式を用いている。
実施の形態２では、第２の検出方式として、自己容量方式の代わりに、図１７（ａ）〜（ｄ）に示すように、全ての電極を同時に駆動した後、交点（交差部分）を接地電位に制御する方式（以下「交点接地方式」という）を用いる。
【０１６９】
交点接地方式では、相互容量方式と同様に、一方の電極、例えばＸ電極と、他方の電極、例えばＹ電極との交点（交差部分）における容量変化量を検出する。但し、相互容量方式とは異なり、駆動信号が印加される電極と、検出信号が得られる電極とが同じである。
【０１７０】
例えば、駆動部５６は、第１群及び第２群のうちの一方の群、例えば第１群の電極（Ｘ電極）を順に選択し、これとともに、第１群及び第２群のうちの他方の群、例えば第２群の電極（Ｙ電極）を順に選択し、選択したＸ電極に駆動信号Ｓｄを印加し、選択したＹ電極の電位を急激に、例えばステップ状に変化させ、選択したＸ電極に現れる検出信号Ｓｒと、選択されているＹ電極を特定する情報とから、タッチパネル１５の各位置（Ｘ電極とＹ電極との交点）における容量変化量を求める。駆動信号Ｓｄとしては、予め定められた期間比較的高い電圧値を維持する信号が印加され、選択されているＹ電極には、比較的高い電位Ｖｈから比較的低い電位Ｖｇに急激に変化する、即ち切替わる信号Ｓｂが印加される。検出信号Ｓｒとしては、選択されているＹ電極の電圧が切替わったときに、選択されているＸ電極に流れる電流を表す信号が得られる。例えば、比較的高い電位（以下単に「高電位」と言う）Ｖｈは、駆動信号Ｓｄと同じ電位である。例えば、比較的低い電位Ｖｌは、接地電位Ｖｇである。以下では、比較的低い電位が接地電位Ｖｇであるものとして説明する。
【０１７１】
また、以下では、Ｘ電極が順に選択されて駆動信号Ｓｄが印加され、各Ｘ電極が選択されている間にＹ電極が順に選択されて、選択されているＹ電極に印加される信号Ｓｂの電位の切替えが行われる場合を想定して説明する。
【０１７２】
図１７（ａ）及び（ｃ）は、選択されているＹ電極５４ｋに印加される信号Ｓｂが高電位Ｖｈにあるときの状態を示し、図１７（ｂ）及び（ｄ）は、選択されているＹ電極５４ｋに印加される信号Ｓｂが接地電位Ｖｇにあるときの状態を示す。
【０１７３】
図１７（ａ）〜（ｄ）に示すように、選択されている電極５２ｉと、選択されていない電極５２ｊを含む全てのＸ電極に、比較的高い電圧値を維持する駆動信号Ｓｄを印加し、全てのＸ電極に駆動信号Ｓｄが印加されている期間中に、選択されているＹ電極５４ｋに印加される信号Ｓｂを、高電位Ｖｈから接地電位Ｖｇに切替える。
このように、選択されているＹ電極５４ｋに印加される電位を、接地電位Ｖｇに切替えることで、選択されているＸ電極５２ｉと選択されているＹ電極５４ｋとの交点を接地電位に制御し、そのときに選択されているＸ電極５２ｉに現れる信号Ｓｒを検出する。
【０１７４】
図１８（ａ）〜（ｃ）は、交点接地方式での検出を説明するための等価回路図であり、選択されているＸ電極５２ｉと選択されたＹ電極５４ｋの交点の周辺に形成される主な静電容量を示す。
図１８（ａ）は、ノブ３０及び指Ｈｆのいずれもタッチパネル１５に接触していない場合の等価回路（タッチパネル１５のうち、ノブ３０及び指Ｈｆのいずれも接触していない箇所の等価回路）を示し、図１８（ｂ）は、図１７（ａ）及び図１７（ｃ）に示すように、指Ｈｆが接触していないノブ３０がタッチパネル１５に接触している場合の等価回路（タッチパネル１５のうち、指が接触していないノブ３０が接触している箇所の等価回路）を示し、図１８（ｃ）は、図１７（ｃ）及び図１７（ｄ）に示すように、指Ｈｆが接触しているノブ３０がタッチパネル１５に接触している場合の等価回路（図７（ｂ）及び図７（ｄ）の場合）の等価回路（タッチパネル１５のうち、指が接触しているノブ３０が接触している箇所の等価回路）を示す。
【０１７５】
図１８（ａ）〜（ｃ）において、Ｃｉｙは、電極５２ｉと電極５４ｋとの間に形成される静電容量、Ｃｉｋは、電極５２ｉとノブ３０との間に形成される静電容量、Ｃｋｊは、ノブ３０と電極５２ｊとの間に形成される静電容量、Ｃｋｙは、ノブ３０と電極５４ｋとの間に形成される静電容量、Ｃｋｆは、ノブ３０と指Ｈｆとの間に形成される静電容量である。
【０１７６】
以下、全てのＸ電極に駆動信号Ｓｄが印加されている間に、選択されているＹ電極５４ｋに印加される信号Ｓｂが高電位Ｖｈから接地電位Ｖｇに切替えられ、これにより、Ｘ電極とＹ電極５４ｋとの交点が高電位Ｖｈから接地電位Ｖｇに切替えられたときの動作を説明する。
【０１７７】
図１８（ａ）〜（ｃ）に示すように、Ｙ電極５４ｋが接地電位Ｖｇに切替わったときに静電容量Ｃｉｙに充電電流が流れる。
【０１７８】
図１８（ｂ）及び（ｃ）に示すように、ノブ３０がタッチパネル１５に接触している場合には、信号Ｓｂが接地電位Ｖｇに切替わったとき、駆動信号Ｓｄによる静電容量Ｃｋｙへの充電が行われる。一方、図１８（ａ）に示すように、ノブ３０も指Ｈｆもタッチパネル１５に接触していない場合には、静電容量Ｃｋｙが形成されず、静電容量Ｃｋｙへの充電電流が流れない。
【０１７９】
また、図１８（ｃ）に示すように、ノブ３０に指Ｈｆが接触している場合には、信号Ｓｂが高電位Ｖｈである期間中に、静電容量Ｃｋｆが充電され、信号Ｓｂの接地電位Ｖｇへの切替わりの際の静電容量Ｃｋｙの充電のための電流の一部が、静電容量Ｃｋｆに充電された電荷からの放電で賄われる。
【０１８０】
このように、図１８（ｂ）（及び図１７（ｂ））の場合に比べ、図１８（ｃ）（及び図１７（ｄ））の場合には、静電容量Ｃｋｆの充電電荷が、静電容量Ｃｋｙの充電に寄与するため、駆動信号Ｓｄからの電流の供給がより少なくて済み、電極５２ｉに流れる電流の変化がより小さくなり、従ってより小さい電流変化に応じた検出信号Ｓｒが得られる。
このような検出信号Ｓｒの違いから、交点領域（交点を中心とする領域）に接触しているノブに指が接触しているか否かの判定（ノブ指接触判定）を行うことができる。
【０１８１】
また、図１８（ｂ）の場合及び図１８（ｃ）の場合のいずれでも、静電容量Ｃｋｙの充電のため、駆動信号Ｓｄからの電流の供給が行われ、一方、ノブも指も接触していない場合（図１８（ａ））には、静電容量Ｃｋｙが形成されず、従って、静電容量Ｃｋｙの充電のための電流の供給も行われないので、検出信号Ｓｒの変化は極めて小さい。この検出信号Ｓｒの違いに基づいて、ノブが交点領域に接触しているか否かの判定を行うことができる。
【０１８２】
図１９は、実施の形態２で用いられる操作入力処理部５８ａの構成例を示す。
操作入力処理部５８ａは、第１の検出部２０１、第２の検出部２０２ａ、メモリ制御部２０９、メモリ２１０、ノブタッチ点判定部２１１ａ、ノブ指接触判定部２１２ａ、指タッチ判定部２１３、及び動き判定部２１４を有する。
第１の検出部２０１と第２の検出部２０２ａとでタッチ検出部２０５ａが構成されている。
【０１８３】
図１９で、図１１と同じ符号は同様の機能部分を示す。
例えば、第１の検出部２０１の動作は、実施の形態１と同じである。
【０１８４】
第２の検出部２０２ａは、駆動部５６との協働により、交点接地方式での容量変化量の検出を行う。
第２の検出部２０２ａは、交点接地方式での容量変化量の検出の際に、選択されているＸ電極から得られる検出信号と、選択されているＹ電極を示す情報とに基づいて、選択されているＸ電極５２と選択されているＹ電極５４との交点における容量変化量を検出し、容量変化量に応じた検出値を取得し、取得した検出値を表すデータを出力する。
第２の検出部２０２ａはまた、複数の交点について取得した検出値から１又は２以上のタッチ点を検出する。
第２の検出部２０２ａは、検出したタッチ点の位置を表すデータを出力する。
第２の検出部２０２ａでの検出で得られたデータもメモリ２１０に記憶される。
【０１８５】
ノブタッチ点判定部２１１ａは、第１の検出部２０１でのタッチ点の検出結果、及び第２の検出部２０２ａでの検出結果、例えばタッチ点の検出結果に基づいて、タッチ点の位置についての総合判断を行い、さらに、総合判断の結果特定されたタッチ点に、ノブタッチ点が含まれるか否かの判定を行う。
【０１８６】
例えば、第１の検出部２０１から得られるタッチ点の位置を表す情報の信頼度が低いとき、或いは、第１の検出部２０１からタッチ点の位置を表す情報が得られないときは、第２の検出部２０２ａから得られるタッチ点の位置を表す情報を、総合判断の結果として利用しても良い。
代わりに、第１の検出部２０１からのタッチ点の位置を表す情報と第２の検出部２０２ａからのタッチ点を表す情報とが一致する場合に限り、該情報を総合判断の結果として用いても良い。
【０１８７】
ノブタッチ点判定部２１１ａは、さらに、上記の総合判断の結果特定されたタッチ点の数が３以上である場合、検出された全てのタッチ点についての検出結果から、予め定められた条件を満たす３つのタッチ点の組み合わせを抽出して、ノブタッチ点と認定する。
【０１８８】
ノブ指接触判定部２１２ａは、実施の形態１のノブ指接触判定部２１２と同様のものであるが、実施の形態１で用いられた第２の検出部２０２の出力及びノブタッチ点判定部２１１の出力の代わりに、第２の検出部２０２ａの出力及びノブタッチ点判定部２１１ａの出力を用いてノブ指接触判定を行う。
【０１８９】
例えば、ノブタッチ点判定部２１１ａで認定された３つのノブタッチ点のうちの少なくとも１つのノブタッチ点について、当該ノブタッチ点と同じ位置の領域についての、交点接地方式での容量変化量の検出値（第２の検出部２０２ａの出力）の平均又は合計が閾値（ノブ指接触判定閾値）以上の場合、ノブに指が接触していると判定する。
ここで、ノブタッチ点の各々は複数の交点に跨る可能性があるので、ノブタッチ点と同じ位置の領域には、複数の交点が含まれる可能性がある。
上記の「容量変化量の検出値の平均又は合計」は、そのような複数の交点についての平均又は合計を意味する。
【０１９０】
実施の形態１に関して説明したように、相互容量方式での検出結果からは、タッチ点の位置の検出を高い信頼度で行うことができる一方、相互容量方式での検出結果に基づく、ノブに指が接触しているか否かの判定の結果の信頼度は比較的低い。
【０１９１】
一方、図１７（ａ）〜（ｄ）及び図１８（ａ）〜（ｃ）を参照して説明した交点接地方式での検出結果からは、ノブに指が接触しているか否かの判定を高い信頼度で行うことができるとともに、タッチ点の位置を表す情報をも得ることができる。交点接地方式での検出結果から得られるタッチ点の位置の情報は一般的には、相互容量方式での検出結果から得られるタッチ点の位置の情報よりも信頼度がより低いものであるが、相互容量方式での検出において、比較的信頼度が低い情報しか得られない場合もあり、その場合には、交点接地方式での検出から得られるタッチ点の位置の情報を併せて用いることで、タッチ点の位置に関して信頼度のより高い情報を得ることができる。
【０１９２】
即ち、図１９の構成においては、ノブタッチ点判定部２１１ａが、第１の検出部２０１でのタッチ点の検出結果、及び第２の検出部２０２ａでのタッチ点の検出結果の双方を用いて、タッチ点の特定を行うので、タッチ点の特定の結果の信頼性が一層向上する。
【０１９３】
図２０は、実施の形態２で用いられる操作入力処理部５８ａの変形例を示す。
図２０に示される操作入力処理部５８ａにおいては、ノブ指接触判定部２１２ａが、ノブタッチ点判定部２１１ａが認定した各ノブタッチ点の位置を表すデータ、及び第２の検出部２０２ａによる検出結果（各交点についての容量変化量）のみならず、第１の検出部２０１による検出結果（各交点についての容量変化量）にも基づいて、ノブ指接触判定を行う。
【０１９４】
例えば、第２の検出部２０２ａで得られた各交点についての容量変化量と、第１の検出部２０１で得られた当該交点（同じ交点）についての容量変化量との加重平均を、上記の第２の検出部２０２ａで得られた当該交点（同じ交点）についての容量変化量の代わりに用いて、ノブ指接触判定を行うこととしても良い。
加重平均に当たっては、信頼度の高い検出結果ほどより大きな重みを付けても良い。
【０１９５】
図２０の操作入力処理部５８ａを用いる場合、ノブ指接触判定部２１２ａが、第１の検出部２０１での検出結果と第２の検出部２０２ａでの検出結果の双方を用いてノブ指接触判定を行うので、ノブ指接触判定の結果の信頼性が一層向上する。
【０１９６】
実施の形態２で説明した第２の検出部２０２ａを、実施の形態１で図１５（ａ）及び（ｂ）を参照して説明した検出方式で検出を行う第１の検出部２０１ａと組み合わせて用いることも可能である。その場合、第２の検出部２０２ａでの検出結果を、第１の検出部２０１ａにおける、ノブタッチ点の特定に利用することができる。
【０１９７】
実施の形態３．
実施の形態１及び２では、第１の検出方式及び第２の検出方式を用いることで、ノブに指が接触しているか否かの判定の精度を向上させ、かつ、ノブがタッチパネル１５に載っており、ノブに指が接触していない状態においてもノブタッチ点の位置を特定する（座標を取得する）ことができる。
【０１９８】
しかしながら、第１の検出方式で得られる検出信号は比較的小さく（ＳＮ比が小さく）、そのため、外乱ノイズの影響を受けた場合に、ノブタッチ点の位置の検出の精度が十分でない場合がある。
【０１９９】
実施の形態３は、この問題の解決を図ったものである。具体的には第１の検出方式での検出の感度を必要に応じて高くすることを可能にしたものである。
【０２００】
図２１は、実施の形態３で用いられるタッチ入力装置１０ｂを示す。
図示のタッチ入力装置１０ｂは、タッチパネル１５と入力操作検出装置２２ｂとを有する。
実施の形態３で用いられるタッチパネル１５は例えば実施の形態１で用いられるタッチパネルと同じものである。
【０２０１】
入力操作検出装置２２ｂは、図１の入力操作検出装置２２と概して同じであるが、駆動部５６及び操作入力処理部５８の代わりに駆動部５６ｂ及び操作入力処理部５８ｂを有する。
【０２０２】
操作入力処理部５８ｂは操作入力処理部５８と概して同じであるが、第１の検出部２０１の代わりに第１の検出部２０１ｂを備える。第１の検出部２０１ｂと第２の検出部２０２とでタッチ検出部２０５ｂが構成されている。なお、図２１では、第１の検出部２０１ｂ及び第２の検出部２０２以外の構成要素の図示を省略している。
【０２０３】
駆動部５６ｂは駆動部５６と概して同じであるが、第１の検出方式で検出を行うときの駆動方法の入力方法が異なる。
即ち、第１の検出方式で検出を行うに際し、感度を高める場合には、図２１に点線ＥＪで示すように、駆動部５６ｂは、相連続する複数の電極、例えば隣り合う一対の電極を互いに結合して、共通の駆動信号を印加する。感度を高めない場合には、駆動部５６ｂは、相連続する複数の電極間の結合を解除して、個々の電極を別個に駆動する。その場合の動作は、実施の形態１の駆動部５６と同じである。
【０２０４】
第１の検出部２０１ｂでは、感度を高める場合には、図２１に点線ＥＪで示すように、相連続する複数の電極、例えば隣り合う一対の電極を互いに結合して、複数の電極からの信号を合成したものを用いて、検出処理を行う。感度を高めない場合には、第１の検出部２０１ｂは、相連続する複数の電極間の結合を解除して、各電極からの信号を用いて検出処理を行う。その場合の動作は、実施の形態１の第１の検出部２０１と同じである。
【０２０５】
第２の検出方式で検出を行うときの駆動部５６ｂの駆動方法及び第２の検出部２０２での検出処理は、実施の形態１で駆動部５６及び第２の検出部２０２について説明したのと同じである。
【０２０６】
駆動部５６ｂによる駆動及び第１の検出部２０１ｂによる検出において、感度を高めるか否かは、例えば、ノブタッチ点判定部２１１により、ノブタッチ点が検出されたか否かの判定の結果、或いは、ノブ指接触判定部２１２による、ノブに指が接触しているか否かの判定の結果に基づいて決定しても良い。
【０２０７】
なお、感度を高める方法としては、上記のようにする代わりに、以下の方法を用いることもできる。
（ａ）  駆動信号を大きくする。
（ｂ）  座標フィルタをより強くする。
（ｃ）  複数回の検出で得られた検出値を合計する。
（ｄ）  検出信号の増幅率を大きくする。
【０２０８】
上記のような構成とすることで、第１の検出部２０１ｂでの検出結果に基づくノブタッチ点の位置の検出の精度を向上させ、第２の検出部２０２を実施の形態１と同様に動作させることで、電極結合に伴う、パネルの端部における座標解像度の低下、検出時間の増大に伴うトラッキング性能の低下、消費電力量の増加、静電気による誤動作等を抑制することができる。
【０２０９】
以上、第１の検出部の感度を高める構成について説明したが、第２の検出部の感度を高めるようにしても良い。例えば、第２の検出部の感度を高めることで、ノブ３０のケース部３１に手を近づけただけで十分な容量変化が生じ、ノブ指接触判定部２１２がノブ３０への手の接近を検出するように構成しても良い。
【０２１０】
以上実施の形態３を実施の形態２に対する変形として説明したが、実施の形態２に対して同様の変形を加えることも可能である。
【０２１１】
実施の形態４．
実施の形態１及び３では、第１の検出部２０１、２０１ｂが相互容量方式で容量変化量を検出し、ノブタッチ点判定部２１１が、第１の検出部２０１、２０１ｂでの検出結果を元にノブタッチ点を特定し、第２の検出部２０２が自己容量方式で容量変化量を検出し、ノブ指接触判定部２１２が第２の検出部２０２での検出結果を元にノブに指が接触しているか否かを判定するように構成した。また、実施の形態２では、第２の検出部２０２ａが自己容量方式の代わりに、交点接地方式で容量変化量を検出し、ノブタッチ点判定部２１１ａが、第１の検出部２０１での検出結果及び第２の検出部２０２ａでの検出結果を元にノブタッチ点を特定し、ノブ指接触判定部２１２ａが第２の検出部２０２での検出結果を元に、或いは、第１の検出部２０１での検出結果及び第２の検出部２０２ａでの検出結果を元に、ノブに指が接触しているか否かを判定するように構成した。
【０２１２】
実施の形態４は、第３の検出方式で検出を行う第３の検出部２０３を設け、この第３の検出部２０３による検出の結果をノブタッチ点の特定又はノブ指接触の判定に利用する。第３の検出部２０３の検出結果も一旦メモリ２１０に記憶されたのち、他の機能ブロックで利用される。
【０２１３】
図２２は、実施の形態４で用いられるタッチ入力装置１０ｃを示す。図示のタッチ入力装置１０ｃは、タッチパネル１５ｃと入力操作検出装置２２ｃとを有する。入力操作検出装置２２ｃは、駆動部５６ｃと操作入力処理部５８ｃを有する。図２３は図２２の操作入力処理部５８ｃの構成例を示す。
【０２１４】
図２２及び図２３に示される操作入力処理部５８ｃは、図１１に示される操作入力処理部５８と概して同じであるが、第１の検出部２０１、第２の検出部２０２、ノブタッチ点判定部２１１、及びノブ指接触判定部２１２の代わりに、第１の検出部２０１ｃ、第２の検出部２０２ｃ、ノブタッチ点判定部２１１ｃ、及びノブ指接触判定部２１２ｃが設けられ、第３の検出部２０３及び種類判定部２１５が付加されている。第１の検出部２０１ｃと、第２の検出部２０２ｃと、第３の検出部２０３とでタッチ検出部２０５ｃが構成されている。なお、図２２では、操作入力処理部５８ｃのうち、第１の検出部２０１ｃ、第２の検出部２０２ｃ及び第３の検出部２０３のみを示し、他の構成要素の図示を省略している。
【０２１５】
図２４は、実施の形態４で用いられるタッチパネル１５ｃの電極の形状の具体例を示す。
図２４に示されるタッチパネル１５ｃは、第１群の電極（Ｘ電極）５２と第２群の電極（Ｙ電極）５５とを有する。
Ｘ電極５２は、図３に示される第１群の電極５２と同じである。
Ｙ電極５５は、その各々が２つの部分５５ａ、５５ｂに分割されている。
【０２１６】
Ｙ電極５５の各々のパッドＰｙの各々は、２つの部分Ｐｙａ，Ｐｙｂに分割されている。
左から数えて奇数番目のＸ電極５２の右に位置し、偶数番目のＸ電極５２の左に位置するパッドＰｙでは、部分Ｐｙａが左に位置し、部分Ｐｙｂが右に位置する。
左から数えて奇数番目のＸ電極５２の左に位置し、偶数番目のＸ電極５２の右に位置するパッドＰｙでは、部分Ｐｙａが右に位置し、部分Ｐｙｂが左に位置する。
その結果、左から数えて奇数番目のＸ電極５２に対しては部分Ｐｙａが部分Ｐｙｂよりも近くに位置し、左から数えて偶数番目のＸ電極５２に対しては、部分Ｐｙｂが部分Ｐｙａよりも近くに位置する。
【０２１７】
Ｙ電極５５の各々の複数のパッドＰｙの部分Ｐｙａは連結部Ｌｙａにより連結され、Ｙ電極５５の各々の複数のパッドＰｙの部分Ｐｙｂは連結部Ｌｙｂにより連結されている。
【０２１８】
左から数えて奇数番目のＸ電極５２を挟むパッド部分Ｐｙａは直線的に延在する連結部Ｌｙａ−ｃにより連結され、左から数えて偶数番目のＸ電極５２を挟むパッド部分Ｐｙａは、パッド部分Ｐｙｂを迂回するように延在する連結部Ｌｙａ−ｄにより連結されている。
左から数えて偶数番目のＸ電極５２を挟むパッド部分Ｐｙｂは直線的に延在する連結部Ｌｙｂ−ｃにより連結され、左から数えて奇数番目のＸ電極５２を挟むパッド部分Ｐｙｂは、パッド部分Ｐｙａを迂回するように延在する連結部Ｌｙｂ−ｄにより連結されている。
【０２１９】
なお、連結部Ｌｙａ−ｄをパッド部分Ｐｙｂを迂回するように形成する代わりに、パッド部分Ｐｙｂの下を通るように形成し、連結部Ｌｙｂ−ｄをパッド部分Ｐｙａを迂回するように形成する代わりに、パッド部分Ｐｙａの下を通るように形成しても良い。
【０２２０】
第１の検出方式及び第２の検出方式で検出を行う際は、電極５５の各々を構成する２つの電極部分５５ａ、５５ｂは、図２２に点線ＥＪで示すように結合され、２つの部分を組み合わせたものが一つの電極として作用する。
【０２２１】
即ち、駆動部５６ｃは、２つの電極部分５５ａ、５５ｂを結合して、これらに駆動信号を印加する。
第１の検出部２０１ｃ及び第２の検出部２０２ｃは、２つの電極部分５５ａ、５５ｂを結合してこれらから検出信号を受信する。
【０２２２】
第３の検出方式で検出を行う際は、駆動部５６ｃがＸ電極５２に順次駆動信号を印加し、第３の検出部２０３は、Ｙ電極５５の各々の上記の２つの部分５５ａ、５５ｂから別個の検出信号を受信する。
【０２２３】
一つのＸ電極５２への駆動信号の印加により、当該Ｘ電極に交差するＹ電極５５の各々の２つの部分５５ａ、５５ｂに生ずる検出信号について図２５（ａ）及び（ｂ）を参照して説明する。
【０２２４】
図２５（ａ）及び（ｂ）は、電極５２に電圧を印加したときにその周囲に発生する電界を示す。図２５（ａ）は、導体Ｏｃがタッチパネル１５ｃに接触している場合を示し、図２５（ｂ）は、不導体Ｏｄがタッチパネル１５ｃに接触している場合を示す。
【０２２５】
図２５（ａ）及び（ｂ）で、Ｐｘは、図２４で左から数えて奇数番目の電極５２のいずれかのパッドである。Ｐｙａ、Ｐｙｂは、そのようなパッドＰｘの右側に位置するパッド部分である。
パッドＰｘとパッド部分Ｐｙａ、Ｐｙｂとの間には静電容量Ｃａ、Ｃｂが形成されており、電極５２に印加される電圧が高く、従って電界が強いほど、パッド部分Ｐｙａ、Ｐｙｂに発生する信号は大きくなる。
【０２２６】
図２５（ｂ）に示すように、不導体Ｏｄが接触したときの静電容量Ｃｂは、図２５（ａ）に示すように、導体Ｏｃが接触したときの静電容量Ｃｂよりも大きい。一方、静電容量Ｃａは、導体Ｏｃが接触したときと、不導体Ｏｄが接触したときとで大差がない。パッド部分Ｐｙａ、Ｐｙｂに発生する検出信号は、これらの静電容量Ｃａ、Ｃｂの大きさによって変わる。
【０２２７】
そこでパッド部分Ｐｙａに発生する検出信号とパッド部分Ｐｙｂに発生する検出信号とに基づいて、各電極５２と各電極５５を構成する電極部分５５ａ、５５ｂの対との交点において、タッチパネルに接触しているのが導体であるか不導体であるかの判定をすることができる。
【０２２８】
例えば、パッド部分Ｐｙａに発生する検出信号とパッド部分Ｐｙｂに発生する検出信号との差分に基づいて、各電極５２と各電極５５を構成する電極部分５５ａ、５５ｂの対との交点において、タッチパネル１５ｃに接触しているのが導体であるか不導体であるかの判定をすることとしても良い。
【０２２９】
そして、複数の電極５２を順に選択し、選択された電極５２と電極５５の各々の電極部分５５ａ、５５ｂの対との交点において、タッチパネルに接触しているのが導体であるか不導体であるかを特定する情報を蓄積し、蓄積した情報を総合することで、導体で構成される部分及び不導体で構成される部分の輪郭を特定することができる。例えば、不導体が円柱状のものであれば、その直径を特定することができる。
【０２３０】
さらにまた、導体で構成される部分と不導体で構成される部分とからなるノブに関し、導体で構成される部分の輪郭と不導体で構成される部分の輪郭とを特定することができる。上記の輪郭に関する情報から、ノブの種類を特定することも可能である。
図２３に示される種類判定部２１５は、第３の検出部２０３から上記の輪郭に関する情報から、ノブの種類を特定する。
【０２３１】
ノブタッチ点判定部２１１ｃは、上記のようにして得られる情報（導体部分の輪郭、不導体部分の輪郭、ノブの種類）を利用することで、ノブタッチ点の位置の特定を、より正確に或いはより確実に（より高い信頼度で）行うことができる。
ノブ指接触判定部２１２ｃは、上記のようにして得られる情報（導体部分の輪郭、不導体部分の輪郭、ノブの種類）を利用することで、ノブに指が接触しているか否かの判定を、より正確に或いはより確実に（より高い信頼度で）行うことができる。
【０２３２】
なお、第３の検出部２０３が、図２２〜図２５を参照して説明した方法で検出を行う場合、人の指がノブに触れることにより電界の強度が変わるため、各電極５２と各電極５５を構成する電極部分５５ａ、５５ｂの対との交点において、タッチパネルに接触しているのが導体であるか不導体であるかの判定の信頼度が低下し、それに伴い導体で構成される部分の輪郭、及び不導体で構成される部分の輪郭の位置の検出の精度が低下する可能性がある。例えば、ノブタッチ点の位置の検出の精度が低下する可能性がある。
【０２３３】
そこで、ノブ指接触判定部２１２ｃでノブに指が接触していないと判定されている間に、第３の検出部２０３での検出で得られた検出結果を導体で構成される部分の輪郭、及び不導体で構成される部分の輪郭の位置の特定に利用することとしても良い。例えば、ノブ指接触判定部２１２ｃでノブに指が接触していないと判定されている間に、第３の検出部２０３での検出で得られた情報をメモリ２１０に記憶しておき、記憶された情報を、ノブタッチ点判定部２１１ｃにおけるノブタッチ点の位置の特定に利用することとしても良い。
【０２３４】
また、第１の検出部２０１ｃでの検出結果に基づいて、ノブタッチ点判定部２１１ｃで特定された操作部材によるタッチ点（ノブタッチ点）の位置（座標）と、第３の検出部２０３により特定された操作部材の位置（座標）をメモリ２１０に記憶し、これらの位置が時間の経過とともに変化した場合に、ノブの操作部材の位置が変化したと推定し、第２の検出部２０２による検出及びノブ指接触判定部２１２によるノブ指接触判定を行うこととしても良い。
そうすることで、第２の検出部２０２による検出及びノブ指接触判定部２１２による判定の頻度を減らすことができる。
【０２３５】
実施の形態５．
実施の形態４では、第３の検出方式として、電極５２及び電極部分５５ａ、５５ｂの組み合わせを用いて、駆動信号に対して発生する検出信号から、各電極５２と各電極部分５５ａ、５５ｂの対との交点において、タッチパネルに接触しているのが導体であるか不導体であるかを判定している。
【０２３６】
これに対して、実施の形態５では、電極に印加する駆動信号（電圧信号）の周波数を広い範囲にわたって変化させ（掃引し）、同じ電極から得られる検出信号（電流信号）に基づいて、タッチパネルに接触しているノブの、インピーダンスの周波数特性を計測する。
【０２３７】
図２６は、実施の形態５で用いられるタッチ入力装置１０ｄを示す。タッチ入力装置１０ｄは、タッチパネル１５ｄと入力操作検出装置２２ｄとを有する。入力操作検出装置２２ｄは、駆動部５６ｄと操作入力処理部５８ｄを有する。図２７は図２６の操作入力処理部５８ｄの構成例を示す。
【０２３８】
図２６及び図２７に示される操作入力処理部５８ｄは、図２２及び図２３に示される操作入力処理部５８ｃと概して同じであるが、第１の検出部２０１ｃ及び第２の検出部２０２ｃの代わりに、第１の検出部２０１及び第２の検出部２０２が設けられ、第３の検出部２０３の代わりに第３の検出部２０３ｄが設けられている。第１の検出部２０１及び第２の検出部２０２は、例えば、実施の形態１で説明したものと同じであっても良い。第１の検出部２０１と、第２の検出部２０２と、第３の検出部２０３ｄとでタッチ検出部２０５ｄが構成されている。なお、図２６には、操作入力処理部５８ｄのうち、第１の検出部２０１、第２の検出部２０２、及び第３の検出部２０３ｄ以外の構成要素の図示を省略している。
【０２３９】
実施の形態５で用いられるタッチパネル１５ｄは、例えば実施の形態１で図１及び図３を参照して説明したのと同じであっても良く、実施の形態４で図２２、図２４及び図２５を参照して説明したものと同じであっても良い。以下では、実施の形態１で図１及び図３を参照して説明したのと同じであるものとして説明する。
【０２４０】
第３の検出方式で検出を行う際は、駆動部５６ｄが全てのＸ電極５２に対し駆動信号（電圧信号）を印加し、時間の経過とともに駆動信号の周波数を変化させる（掃引する）。
【０２４１】
第３の検出部２０３ｄは、Ｘ電極５２に現れる検出信号（電流信号）を受信し、周波数毎の検出信号の振幅を記憶し、検出信号の周波数特性を得る。
このようにして得られた周波数特性は、タッチパネル１５ｄに接触している物体のインピーダンスの周波数特性を反映したものであり、上記の検出信号の周波数特性を得る処理は、タッチパネル１５ｄに接触している物体のインピーダンスの周波数特性を得る処理であるとも言える。
【０２４２】
このようにして得られるインピーダンスの周波数特性は、物体の種類、物体の状態によって異なる（非特許文献１）。
【０２４３】
実施の形態５では、タッチパネル１５ｄに接触しているノブのインピーダンスの周波数特性を計測し、計測結果から、種類判定部２１５ｄがノブの種類を特定し、ノブ指接触判定部２１２ｄが、ノブの状態を推定することができる。
【０２４４】
タッチパネル１５ｄ上のノブ３０（ある特定の種類乃至構成のノブ）については、
（ａ）  ノブに指が接触していないとき、
（ｂ）  ノブに１本の指が接触しているとき、
（ｃ）  ノブが把持されているとき
で、互いに異なる周波数特性が得られる。
図２８で、曲線Ｚａ、Ｚｂ、Ｚｃはそれぞれ上記（ａ）、（ｂ）、（ｃ）の場合に得られる検出信号の周波数特性の例を示す。
【０２４５】
このように周波数特性がノブの状態によって異なることを利用することで、第３の検出部２０３ｄでの計測で得られた周波数特性から、ノブ３０がどのような状態にあるか、即ち上記（ａ）、（ｂ）、（ｃ）のいずれの状態であるかを判定することができる。
即ち、ノブ指接触判定部２１２ｄは、第３の検出部２０３ｄでの計測で得られた周波数特性並びにノブタッチ点判定部２１１での検出結果及び第２の検出部２０２での検出結果から、ノブタッチ点判定部２１１によりノブタッチ点が検出されたノブ３０が上記（ａ）、（ｂ）、（ｃ）のいずれの状態であるかを判定する。
【０２４６】
また、タッチパネル１５上に複数種類のノブ３０のいずれかが載置される可能性のある場合には、種類判定部２１５ｄが、第３の検出部２０３ｄでの計測で得られた周波数特性から、載置されているノブ３０の種類を特定することとしても良い。
【０２４７】
さらに、ノブ３０の種類によって操作部材の数、配置（相対位置関係）が異なる場合には、ノブ３０の種類ごとに操作部材の数、配置を示す情報をメモリ２１０に記憶しておき、ノブタッチ点判定部２１１ｃが、上記種類判定部２１５ｄで特定された種類についての操作部材の数、配置を示す情報をメモリ２１０から読み出し、操作部材によるタッチ点の位置の特定に利用することとしても良い。
【０２４８】
なお、第３の検出部２０３ｄでの計測で得られるインピーダンスの周波数特性は、ノブ３０を使用しているユーザの体質、着用している衣服、発汗量等によって変化し得るので、例えば得られた周波数特性とノブ３０の状態との関係も変化し得る。
【０２４９】
しかしながら、一般に、ノブ３０に対して回転操作が行われているときは、ノブが把持されている可能性が高く、それ以外の接触だけの場合は１本指で操作している可能性が高い。
そこで、周波数特性を定期的に計測するとともに、その時のノブ３０の状態を示す情報を取得し、これを蓄積することで、周波数特性とノブ３０の状態との関係を推定することが可能である。
【０２５０】
例えば、動き判定部２１４でノブが回転していることを検知したときに第３の検出部２０３ｄで得られた周波数特性を、ノブが把持されているときの周波数特性としてメモリ２１０に記憶しておく。そして、それ以降の周波数特性の計測で、メモリ２１０に記憶されている周波数特性と同一又は類似の周波数特性が得られたら、ノブが把持されていると判断することとしても良い。
【０２５１】
なお、動き判定部２１４による、ノブが回転していることの検知は、例えば、実施の形態１で説明したのと同様に、ノブタッチ点判定部２１１ｄで特定されたノブタッチ点の位置の履歴に基づいて行い得る。
【０２５２】
実施の形態５のように、第３の検出部２０３ｄ及び種類判定部２１５ｄを加え、ノブ指接触判定部２１２ｄとしてノブに１本の指で接触しているのかノブが把持されているのかを判別可能なものを用いることで、ノブタッチ点の位置の検出の精度の向上、ノブ３０に対する指の接触状態のより詳細な判別ができるようになる。
【０２５３】
実施の形態６．
以上のように、実施の形態１〜３では、第１及び第２の検出方式で検出を行い、実施の形態４及び５ではそれらに加えて第３の検出方式で検出を行う。
【０２５４】
実施の形態４及び５の説明からも分かるように、タッチパネルに対する入力操作で用いられるノブの種類は１種とは限らず、種々のノブでの入力操作に対応可能とすることが求められる場合がある。
また、現に知られている種類乃至構成のノブのほか、将来新たな種類乃至構成のノブが開発され、利用されるようになる可能性がある。
例えば、ノブの操作部材についても、その数、形状、材料が変えられる可能性がある。
ペンについても同様のことが言える。
【０２５５】
そして、ノブの種類又は構成によっては、上記の検出方式の組み合わせでは、ノブの状態を正確に把握することができず、ノブの種類又は構成毎に、検出方式の組み合わせを変える必要が生じる可能性がある。実施の形態６は、そのような事態に備えたものである。
【０２５６】
図２９は実施の形態６のタッチ入力装置１０ｅを示す。タッチ入力装置１０ｄは、タッチパネル１５ｅと入力操作検出装置２２ｅとを有する。入力操作検出装置２２ｅは、駆動部５６ｅと操作入力処理部５８ｅとを有する。
【０２５７】
図３０は図２９の操作入力処理部５８ｅの構成例を示す。
図３０に示される操作入力処理部５８ｅは、タッチ検出部２０５ｅと、メモリ制御部２０９と、メモリ２１０と、ノブタッチ点判定部２１１ｅと、ノブ指接触判定部２１２ｅと、検出対象設定部２２１と、検出方式選択部２２２と、残存タッチ判定部２２３と、動き判定部２１４と、評価部２２５とを有する。
【０２５８】
タッチパネル１５は、実施の形態１〜３、及び５で用いられたタッチパネル１５と同じものであっても良く、実施の形態４で用いられたタッチパネル１５ｃと同じものであっても良く、これらのタッチパネルに対して更なる機能を付加したものであっても良い。
【０２５９】
タッチ検出部２０５ｅは、駆動部５６ｅとの協働により、複数の検出方式で検出を行い得る。複数の検出方式には、実施の形態１〜３で説明した第１の検出方式及び第２の検出方式が含まれる。複数の検出方式にはさらに、実施の形態４で説明した第３の検出方式及び実施の形態５で説明した第３の検出方式の少なくとも一方が含まれていても良い。
【０２６０】
検出対象設定部２２１は、予め作成されている検出対象リストに含まれる複数の検出対象を順に選択して、選択した検出対象を設定する。検出対象としては、例えばノブの操作部材、ペン、指、及び水が含まれる。
【０２６１】
検出方式選択部２２２は、タッチ検出部２０５ｅで検出を行い得る複数の検出方式のうちの１又は２以上の検出方式を選択する。この選択においては、検出対象設定部２２１で設定された検出対象の検出に有効である可能性のある検出方式をすべて選択しても良く、各検出対象の検出に最適であると判断されている検出方式のみを選択することとして良い。
【０２６２】
タッチ検出部２０５ｅは、検出方式選択部２２２で選択された１又は２以上の検出方式で検出を行う。
【０２６３】
ノブタッチ点判定部２１１ｅは、検出対象としてノブが選択されているときに、タッチ検出部２０５ｅでの検出結果に基づいてノブタッチ点の位置を特定する。
【０２６４】
ノブ指接触判定部２１２ｅは、検出対象としてノブが選択されているときに、ノブタッチ点判定部２１１ｅで特定されたノブタッチ点の位置の情報、及びタッチ検出部２０５ｅでの検出結果に基づいてノブに指が接触しているか否かの判定を行う。
【０２６５】
残存タッチ判定部２２３は、ノブタッチ点判定部２１１ｅでの判定結果及びタッチ検出部２０５ｅでの検出結果を受け、検出対象としてノブ以外のものが選択されているときに、選択されている検出対象がタッチパネルに接触（若しくは付着）しているか否かの判定を行う。このような判定を、ノブ以外の検出対象について行うことで、例えば、ノブタッチ点以外のタッチ点が、タッチパネルへのペンの接触によるものか、タッチパネルへの指の接触によるものか、タッチパネルへの水の付着によるものかを判別することができる。
【０２６６】
評価部２２５は、タッチ検出部２０５ｅでの検出結果、ノブタッチ点判定部２１１ｅでの判定の結果、ノブ指接触判定部２１２ｅでの判定の結果、残存タッチ判定部２２３での判定の結果、動き判定部２１４での判定の結果について評価を行い、評価結果を出力する。
【０２６７】
この評価においては、各検出対象の検出感度、ノブタッチ点の位置の検出の精度（座標精度）、ノブに指が接触しているか否かの判定の精度、ペン、指及び水についての判定の精度等が求められる。
【０２６８】
メモリ制御部２０９は、タッチ検出部２０５ｅでの検出結果、及び、各検出結果について評価部２２５が求めた評価結果をメモリ２１０に記録する。
メモリ制御部２０９は、検出結果及び評価結果とともに、検出に用いられた検出方式をもメモリ２１０に記録する。
【０２６９】
上記した検出方式選択部２２２における検出方式の選択は、メモリ２１０に蓄積された検出結果、及び各検出結果についての評価結果を基に行うこととしても良い。
【０２７０】
メモリ２１０には、検出対象の各々について、その特徴が予め記憶されている。例えば、図３２のようにインピーダンス、誘電率、接触点数、接触面積が、テーブル形式で記憶されている。
【０２７１】
メモリ２１０にはまた、検出対象の各々について、検出結果及び評価結果が記憶されている。例えば、図３３のように、検出方式、最適検出方式、感度値、指接触時感度値、座標精度がテーブル形式で記憶されている。
【０２７２】
検出方式としては、当該検出対象の検出に有効である可能性のある検出方式がすべて記憶されている。
最適検出方式としては、当該検出対象の検出に最適と判断された検出方式が記憶されている。最適検出方式は、予め定められたものであっても良く、検出の結果、良好な結果が得られたため、最適と判断されるに至ったものであっても良い。
【０２７３】
感度値としては、当該検出対象が、タッチパネルに接触しているときと、接触していないときの受信信号の大きさの比が記憶されている。
指接触時感度値としては、タッチパネルに接触しているノブに指が接触したときと、接触していないときの、受信信号の大きさの比が記憶されている。
座標精度としては、当該検出対象が接触した位置の検出の精度が記憶されている。
【０２７４】
次に、図３１を参照して図２９に示される入力操作検出装置２２ｅにおける処理の手順を説明する。
ステップＳＴ３１で、検出対象設定部２２１は、検出対象リストから１つの検出対象を選択する。検出対象には、ノブ、指、ペン及び水が含まれる。
【０２７５】
ステップＳＴ３２で、検出方式選択部２２２は、メモリ２１０に記録されている過去の検出結果及び評価結果（検出結果及び評価結果の履歴）を基に、複数の検出方式のうちの一つを選択する。
【０２７６】
ステップＳＴ３３で、タッチ検出部２０５ｅは、駆動部５６ｅとの協働により、ステップＳＴ３２で選択された検出方式により検出を行い、メモリ制御部２０９は得られた検出結果をメモリ２１０に保存する。
【０２７７】
ステップＳＴ３１〜ステップＳＴ３３は、検出対象を順に選択し、選択されている検出対象の検出に有効である可能性のあるすべての検出方式を順に選択して、繰り返される。代わりに、各検出対象について最適と判断される検出方式のみを行っても良い。
【０２７８】
各検出対象について、検出に有効である可能性のあるすべての検出方式、及び最適と判断される検出方式は、メモリ２１０に記憶されており、ステップＳＴ３１〜ＳＴ３３では、メモリ２１０を参照することで、検出方式の選択を行う。
最適検出方式は、予め定められたものであっても良く、検出の結果、良好な結果が得られたものであっても良い。
後者の場合、図３１の処理を行う前は、最適な検出方式の欄は空白となっていても良く、最初に図３１の処理を行う際には、有効である可能性のある検出方式がすべて順に選択される。
【０２７９】
一旦、最適な検出方式が定められた後は（図３３のテーブルに最適な検出方式が書き込まれた後は）、ステップＳＴ３１〜ステップＳＴ３３の実行は、各検出対象につき最適な検出方式に限ることができる。
【０２８０】
ステップＳＴ３４で、ノブタッチ点判定部２１１ｄは記録された検出値から、ノブタッチ点を特定する。
この処理は例えば、実施の形態１と同様に行い得る。
【０２８１】
代わりに、複数の検出方式での検出結果を用いて、ノブタッチ点の特定を行っても良い。例えば、実施の形態１で説明した第１の検出方式（相互容量方式）での検出結果、図２５を参照して説明した不導体をも検出する方式での検出結果を重み付け等により組み合わせて求めても良い。
【０２８２】
ステップＳＴ３５でノブ指接触判定部２１２ｅは、タッチ検出部２０５ｅで得られた検出値（例えば実施の形態１の第２の検出方式で得られた検出値）と、ノブタッチ点判定部２１１ｅから出力される、ノブタッチ点を示す情報とから、実施の形態１と同様にしてノブに指が接触しているか否かを判定する。
【０２８３】
ステップＳＴ３６で、残存タッチ判定部２２３はノブタッチ点判定部２１１ｅでノブタッチ点と判定されなかった、残りのタッチ点についてタッチ検出部２０５ｅでの検出で得られた検出値を用いてタッチパネルに指が接触したか、タッチパネルにペンが接触したか、タッチパネルに水が付着したかを判定する。
【０２８４】
例えば、水の付着の場合、実施の形態１で説明した第１の検出方式（相互容量方式）での検出結果からは水が付着した部分の面積に応じた容量値が得られ、実施の形態１で説明した第２の検出方式（周辺電極を駆動電極と等電位にする自己容量方式）の検出結果からは接地されていない水の付着がほとんど検出されず、接地された水の付着、指又はペンでのタッチパネルへの接触は検出される。
【０２８５】
そこで、水の付着を相互容量方式で検出し、指又はペンの接触を自己容量方式で検出するといったことが、複数の検出方式の検出結果を用いることで可能となる。
【０２８６】
ステップＳＴ３７で、評価部２２５は、検出対象設定部２２１が設定した検出対象の検出感度を算出する。検出感度としては、検出対象が接触している場合と接触していない場合の受信信号の大きさの比（Ｓ／Ｎ）を用いても良い。
また、指以外の検出対象につき、指を当該検出対象に指を接触させた場合とさせない場合との受信信号の大きさの比を算出しても良い。
【０２８７】
さらに、特定の検出方式を用いた場合に得られる位置検出精度（検出座標値のぶれ）をも算出しても良い。
【０２８８】
また、例えばロボットアームで指定された位置にタッチ操作を行い、タッチ入力装置１０ｅで検出されたタッチ位置の、指定された位置に対する誤差を算出しても良い。
上記の処理を、複数の指定位置について行い、誤差の平均、分散等を求めても良い。
このような処理を、タッチ入力装置の出荷前に行い、測定の結果をメモリ２１０に記憶しておくこととしても良い。
【０２８９】
評価部２２５は、複数の検出方式での検出結果及び該検出結果に基づく判定の結果を総合評価し、どの検出方式の組み合わせの場合に最も良好な結果が得られるかを判断し、最も良好な検出方式の組み合わせ、即ち各検出対象につき最適な検出方式をメモリ２１０に記憶させる。例えば、図３３に示されるテーブルの最適検出方式の項目に記録する。
【０２９０】
また、ステップＳＴ３８で、評価部２２５は、評価結果に基づいて、ノブタッチ点判定部２１１ｄ、ノブ指接触判定部２１２ｃ、及び残存タッチ判定部２２３で用いられる判定基準、判定閾値（判定で用いられる閾値）等のうちの１つ以上を調整する。
【０２９１】
上記の判定基準、判定閾値等の調整並びに検出方式の組み合わせの最適化を機械学習により行うこととしても良い。
この場合、評価部２２５は、検出方式選択部２２２により選択した検出方式により得られた検出結果を入力値とし、ノブタッチ点判定部２１１ｄのノブタッチ点の判定結果、ノブ指接触判定部２１２ｄのノブ指接触判定結果、及び残存タッチ判定部２２３のタッチ判定結果を出力値とし、実際にタッチパネル１５に接触している物体が既知の場合の上記の検出結果及び判定結果を教師信号として用いても良い。
【０２９２】
機械学習には、ＣＮＮ（Ｃｏｎｖｏｌｕｔｉｏｎ  Ｎｅｕｒａｌ  Ｎｅｔｗｏｒｋ）、ＬＳＴＭ（Ｌｏｎｇ  Ｓｈｏｒｔ−Ｔｅｒｍ  Ｍｅｍｏｒｙ）等を用いても良い。
【０２９３】
また、機械学習による検出方式の組合せの最適化に加え、検出方式選択部２２２が選択した検出方式、及び検出で用いられる駆動信号の大きさ、周波数等を特徴値としてランダムフォレスト等の弱学習器を作り、検出結果の性能を向上する上で寄与率の高い検出方式を探索することとしても良い。
また、少ない検出方式の組み合わせで検出対象を正しく判別する方式の探索を行うこととしても良い。
【０２９４】
以上のように実施の形態６では、タッチパネル１５で静電容量、インピーダンス等を検出する方式の組み合わせの最適化について述べた。
様々な形状のノブ及びノブ以外の、接触又は接近する可能性がある物体の組み合わせが存在する中、ノブの操作部材、及びノブ以外の物体を検出するのに適した検出方式を評価し、この評価の結果に基づいて検出方法を調整することでノブの検出の精度を向上させることができる。
【０２９５】
また、検出方式を組み合わせを決定する処理、或いは各検出方式における判断基準、判定閾値の決定等を人が行うのではなく、機械学習により自動的に行うことも可能であり、これらの処理等の決定に要する手間を省くことが可能となる。
【０２９６】
この機械学習においても、検出方式選択部２２２により選択した検出方式により得られた検出結果を入力値とし、ノブタッチ点判定部２１１ｄのノブタッチ点判定結果、ノブ指接触判定部２１２ｄのノブ指接触判定結果、及び残存タッチ判定部２２３のタッチ判定結果を出力値とし、実際にタッチパネル１５に接触している物体が既知の場合の上記の検出結果、判定結果を教師信号とすれば良い。
【０２９７】
なお、上記の入力及び出力は必ずしも実測に基づくものでなくとも良く、物理シミュレーションに基づくものであっても良い。
【０２９８】
実施の形態１〜６で説明した制御装置２０は、その一部又は全部を処理回路で構成し得る。
処理回路はハードウェアで構成されていても良くソフトウェアで、即ちプログラムされたコンピュータで構成されていても良い。
【０２９９】
制御装置２０がプログラムされたコンピュータで構成される場合の処理回路２９０の構成は例えば図３４に示す如くである。
図示の例では処理回路２９０は、プロセッサ２９１及びメモリ２９２を有する。
メモリ２９２には、制御装置２０の各部の機能を実現するためのプログラムが記憶されている。
メモリ２９２はまた、制御装置２０内のメモリ２１０の役割をも果たす。
【０３００】
プロセッサ２９１は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、マイクロプロセッサ、マイクロコントローラ又はＤＳＰ（Ｄｉｇｉｔａｌ  Ｓｉｇｎａｌ  Ｐｒｏｃｅｓｓｏｒ）等を用いたものである。
メモリ２９２は、例えばＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）若しくはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の半導体メモリ、磁気ディスク、光ディスク、又は光磁気ディスク等を用いたものである。
【０３０１】
プロセッサ２９１は、メモリ２９２に記憶されているプログラムを読み出して実行することにより、制御装置２０の機能を実現する。
【０３０２】
プロセッサ２９１は、制御装置２０（実施の形態１の入力操作検出装置２２を備えた制御装置、実施の形態１の制御装置において、操作入力処理部５８を実施の形態２の操作入力処理部５８ａで置き換えた制御装置、実施の形態３の駆動部５６ｂ及び操作入力処理部５８ｂを備えた制御装置、実施の形態４の駆動部５６ｃ及び操作入力処理部５８ｃを備えた制御装置、実施の形態５の駆動部５６ｄ及び操作入力処理部５８ｄを備えた制御装置、又は実施の形態６の駆動部５６ｅ及び操作入力処理部５８ｅを備えた制御装置）の機能を実行する。
【０３０３】
以上本発明をタッチ入力装置として説明した。上記のタッチ入力装置で実施されるタッチ入力方法もまた本発明の一部を成す。上記のタッチ入力装置又はタッチ入力方法における処理をコンピュータに実行させるプログラム及び該プログラムを記録した、コンピュータで読取可能な記録媒体もまた本発明の一部を成す。
【符号の説明】
【０３０４】
１０  タッチ入力装置、  １２  タッチ検出機能付き表示装置、  １５，１５ｃ，１５ｄ，１５ｅ  タッチパネル、  １７  表示器、  １７ａ  表示面、  ２０  制御装置、  ２２  入力操作検出装置、  ２４  イベント処理部、  ２６  表示制御部、  ３０  ノブ、  ３１  ケース部、  ３２ａ、３２ｂ、３２ｃ  操作部材、  ５２  Ｘ電極、  ５４，５５  Ｙ電極、  ５５ａ，５５ｂ  電極部分、  ５６，５６ｂ，５６ｃ，５６ｄ，５６ｅ  駆動部、  ５８，５８ａ,５８ｂ，５８ｃ，５８ｄ，５８ｅ  操作入力処理部、  ２０１，２０１ａ,２０１ｂ  第１の検出部、  ２０２，２０２ｃ  第２の検出部、  ２０３，２０３ｄ  第３の検出部、  ２０５，２０５ａ,２０５ｂ，２０５ｃ，２０５ｄ，２０５ｅ  タッチ検出部、  ２０９  メモリ制御部、  ２１０  メモリ、  ２１１，２１１ａ,２１１ｃ，２１１ｄ，２１１ｅ  ノブタッチ点判定部、  ２１２，２１２ａ,２１２ｃ，２１２ｄ，２１２ｅ  ノブ指接触判定部、  ２１３  指タッチ判定部、  ２１４  動き判定部、  ２１５，２１５ｄ  種類判定部、  ２２１  検出対象設定部、  ２２２  検出方式選択部、  ２２３  残存タッチ判定部、  ２２５  評価部。
【要約】
入力操作用のノブ（３０）を載置可能で、ノブ又は他の操作オブジェクトによりタッチ操作が行われるタッチパネル（１５）と、タッチ操作を、互いに異なる第１の検出方式及び第２の検出方式で検出するタッチ検出部（２０５）と、第１の検出方式での検出の結果に基づき、ノブによりタッチ操作が行われた位置をノブタッチ点として特定し、タッチ情報を出力するノブタッチ点判定部（２１１）と、タッチ情報と、第２の検出方式での検出の結果とに基づき、ノブに指が接触しているか否かを判定するノブ指接触判定部（２１２）とを有する。タッチパネルに接触しているのが、ノブであるのかノブ以外のものであるかの判定、及びタッチパネルに接触しているノブに指が接触しているのか否かの判定を確実に行うことができる。【図１】
0006532631.tif 000002
【図２】
0006532631.tif 000003
【図３】
0006532631.tif 000004
【図４】
0006532631.tif 000005
【図５】
0006532631.tif 000006
【図６】
0006532631.tif 000007
【図７】
0006532631.tif 000008
【図８】
0006532631.tif 000009
【図９】
0006532631.tif 000010
【図１０】
0006532631.tif 000011
【図１１】
0006532631.tif 000012
【図１２】
0006532631.tif 000013
【図１３】
0006532631.tif 000014
【図１４】
0006532631.tif 000015
【図１５】
0006532631.tif 000016
【図１６】
0006532631.tif 000017
【図１７】
0006532631.tif 000018
【図１８】
0006532631.tif 000019
【図１９】
0006532631.tif 000020
【図２０】
0006532631.tif 000021
【図２１】
0006532631.tif 000022
【図２２】
0006532631.tif 000023
【図２３】
0006532631.tif 000024
【図２４】
0006532631.tif 000025
【図２５】
0006532631.tif 000026
【図２６】
0006532631.tif 000027
【図２７】
0006532631.tif 000028
【図２８】
0006532631.tif 000029
【図２９】
0006532631.tif 000030
【図３０】
0006532631.tif 000031
【図３１】
0006532631.tif 000032
【図３２】
0006532631.tif 000033
【図３３】
0006532631.tif 000034
【図３４】
0006532631.tif 000035